(57)【要約】  ワイヤレス通信ネットワークにおけるランダムアクセス要求の送信電力制御および繰返しレベルのための方法、システム、およびデバイスについて記載する。ランダムアクセス要求送信のための電力設定および繰返しレベルは、事前電力設定または事前アップリンクチャネル繰返しレベルを構成するか、および／またはそれらに基づき得る。電力設定は、現在または事前ランダムアクセス手順に関連付けられた電力ランプアップを含む、他の要因にも基づき得る。電力設定は、ユーザ機器（ＵＥ）によって計算され得るか、または別のシステムノードからＵＥに指示され得る。説明される特徴は、たとえばマシンタイプ通信（ＭＴＣ）を利用するデバイスのためのカバレージ拡張技法として実装され得る。
2018511236.tif 000002
【特許請求の範囲】
【請求項１】
ワイヤレス通信デバイスにおける通信の方法であって、
ランダムアクセス要求手順の第１のランダムアクセス要求シーケンスのための複数の繰返しレベルから、第１の繰返しレベルを識別することと、
前記第１の繰返しレベルに少なくとも部分的に基づいて、前記第１のランダムアクセス要求シーケンスの１つまたは複数のランダムアクセス要求のための１つまたは複数の送信電力パラメータを決定することと、
前記１つまたは複数の送信電力パラメータに従って、前記第１のランダムアクセス要求シーケンスの前記１つまたは複数のランダムアクセス要求を送信することと、
を備える方法。
【請求項２】
前記ワイヤレス通信デバイスにおいて受信された信号に少なくとも部分的に基づいてチャネル状態を決定することをさらに備え、
前記第１のランダムアクセス要求シーケンスのための前記第１の繰返しレベルを前記識別することは、前記決定されたチャネル状態に少なくとも部分的に基づく、請求項１に記載の方法。
【請求項３】
前記ワイヤレス通信デバイスにおいて受信された信号に少なくとも部分的に基づいてチャネル状態を決定することをさらに備え、
前記１つまたは複数の送信電力パラメータを前記決定することは、前記決定されたチャネル状態に少なくとも部分的に基づく、請求項１に記載の方法。
【請求項４】
前記１つまたは複数の送信電力パラメータを前記決定することは、前記第１のランダムアクセス要求シーケンスのための初期送信電力または送信電力ステップサイズのうちの少なくとも１つを決定することを備える、請求項１に記載の方法。
【請求項５】
前記１つまたは複数の送信電力パラメータを前記決定することは、最大送信電力に等しい初期送信電力またはゼロに等しい送信電力ステップサイズのうちの少なくとも１つを決定することを備える、請求項１に記載の方法。
【請求項６】
前記決定された１つまたは複数の送信電力パラメータおよび前記ワイヤレス通信デバイスの最大アップリンク送信電力に少なくとも部分的に基づいて、前記第１のランダムアクセス要求シーケンス中で送信されるべきランダムアクセス要求の最大数を識別することと、
ランダムアクセス要求の前記識別された最大数に少なくとも部分的に基づいて、前記第１のランダムアクセス要求シーケンスを実行することと、をさらに備える、請求項１に記載の方法。
【請求項７】
ワイヤレス通信デバイスにおける通信の方法であって、
ランダムアクセス要求シーケンスのための繰返しレベルを識別することと、
前の繰返しレベルでの前のランダムアクセス要求シーケンスのアップリンク送信電力に少なくとも部分的に基づいて、前記ランダムアクセス要求シーケンスのための１つまたは複数の送信電力パラメータを決定することと、を備える方法。
【請求項８】
前記１つまたは複数の送信電力パラメータを前記決定することは、前記繰返しレベルと、前記前の繰返しレベルとの比較に少なくとも部分的に基づく、請求項７に記載の方法。
【請求項９】
前記１つまたは複数の送信電力パラメータを前記決定することは、前記ランダムアクセス要求シーケンスの初期ランダムアクセス要求のためのアップリンク送信電力を、前記前のランダムアクセス要求シーケンスの前のアップリンク送信電力と同じ値になるように設定することを備える、請求項７に記載の方法。
【請求項１０】
前記１つまたは複数の送信電力パラメータを前記決定することは、前記ランダムアクセス要求シーケンスのランダムアクセス要求のためのアップリンク送信電力を、前記ワイヤレス通信デバイスの最大アップリンク送信電力になるように設定することを備える、請求項７に記載の方法。
【請求項１１】
前記１つまたは複数の送信電力パラメータを前記決定することは、冗長送信の数が繰返しレベル閾値を超えると決定することに少なくとも部分的に基づく、請求項１０に記載の方法。
【請求項１２】
前記繰返しレベルの冗長送信の数は、前記前の繰返しレベルの冗長送信の数よりも大きい、請求項７に記載の方法。
【請求項１３】
前記前のランダムアクセス要求シーケンスの最終ランダムアクセス要求の最終アップリンク送信電力は、前記ランダムアクセス要求シーケンスの初期ランダムアクセス要求のための初期アップリンク送信電力よりも大きい、請求項７に記載の方法。
【請求項１４】
前記１つまたは複数の送信電力パラメータを前記決定することは、前記ワイヤレス通信デバイスによって受信された信号から決定されたチャネル状態に少なくとも部分的に基づく、請求項７に記載の方法。
【請求項１５】
前記ランダムアクセス要求シーケンスの２つ以上の繰り返されるランダムアクセス要求の各々のための冗長送信のためのリソースセットは、前記繰返しレベルに少なくとも部分的に基づいて決定される、請求項７に記載の方法。
【請求項１６】
ワイヤレス通信デバイスにおける通信の方法であって、
ランダムアクセス手順に関連付けられた１つまたは複数の送信電力パラメータを指示する構成メッセージを受信することと、
ランダムアクセス要求手順の第１のランダムアクセス要求シーケンスのための第１の繰返しレベルを識別することと、
前記識別された第１の繰返しレベルおよび前記１つまたは複数の送信電力パラメータに少なくとも部分的に基づいて、前記第１のランダムアクセス要求シーケンスの初期ランダムアクセス要求のための第１のアップリンク送信電力を決定することと、を備える方法。
【請求項１７】
前記１つまたは複数の送信電力パラメータは、１つもしくは複数の繰返しレベルのための初期送信電力、前記１つもしくは複数の繰返しレベルのための送信電力ステップサイズ、またはそれらの任意の組合せを備える、請求項１６に記載の方法。
【請求項１８】
前記１つまたは複数の送信電力パラメータの送信電力ステップサイズに少なくとも部分的に基づいて、前記第１のランダムアクセス要求シーケンスの後続ランダムアクセス要求のための第２のアップリンク送信電力を決定することをさらに備える、請求項１６に記載の方法。
【請求項１９】
前記第２のアップリンク送信電力は、前記ワイヤレス通信デバイスの最大アップリンク送信電力になるように決定される、請求項１８に記載の方法。
【請求項２０】
第２のランダムアクセス要求シーケンスのための第２の繰返しレベルを識別することと、
前記第１のランダムアクセス要求シーケンスの最終送信電力または前記１つもしくは複数の送信電力パラメータのうちの少なくとも１つに少なくとも部分的に基づいて、前記第２のランダムアクセス要求シーケンスの初期ランダムアクセス要求のための第３のアップリンク送信電力を決定することと、をさらに備える、請求項１６に記載の方法。
【請求項２１】
前記第３のアップリンク送信電力を決定することは、前記第３のアップリンク送信電力を、前記第１のランダムアクセス要求シーケンスの最終ランダムアクセス要求の最終送信電力と等しくなるように設定することを備える、請求項２０に記載の方法。
【請求項２２】
前記第３のアップリンク送信電力は、前記ワイヤレス通信デバイスの最大アップリンク送信電力になるように決定される、請求項２０に記載の方法。
【請求項２３】
前記ワイヤレス通信デバイスによって受信された信号に少なくとも部分的に基づいてチャネル状態を決定することと、
前記決定されたチャネル状態に少なくとも部分的に基づいて、前記第３のアップリンク送信電力を決定することと、をさらに備える、請求項２０に記載の方法。
【請求項２４】
ワイヤレス通信デバイスにおける通信のための装置であって、
ランダムアクセス要求手順の第１のランダムアクセス要求シーケンスのための複数の繰返しレベルから、第１の繰返しレベルを識別するための手段と、
前記第１の繰返しレベルに少なくとも部分的に基づいて、前記第１のランダムアクセス要求シーケンスの１つまたは複数のランダムアクセス要求のための１つまたは複数の送信電力パラメータを決定するための手段と、
前記１つまたは複数の送信電力パラメータに従って、前記第１のランダムアクセス要求シーケンスの前記１つまたは複数のランダムアクセス要求を送信するための手段と、を備える装置。
【請求項２５】
前記ワイヤレス通信デバイスにおいて受信された信号に少なくとも部分的に基づいてチャネル状態を決定するための手段をさらに備え、
前記第１のランダムアクセス要求シーケンスのための前記第１の繰返しレベルを識別するための前記手段は、前記決定されたチャネル状態に少なくとも部分的に基づいて動作可能である、請求項２４に記載の装置。
【請求項２６】
前記ワイヤレス通信デバイスにおいて受信された信号に少なくとも部分的に基づいてチャネル状態を決定するための手段をさらに備え、
前記１つまたは複数の送信電力パラメータを決定するための前記手段は、前記決定されたチャネル状態に少なくとも部分的に基づいて動作可能である、請求項２４に記載の装置。
【請求項２７】
前記１つまたは複数の送信電力パラメータを決定するための前記手段は、前記第１のランダムアクセス要求シーケンスのための初期アップリンク送信電力または送信電力ステップサイズのうちの少なくとも１つを決定するための手段を備える、請求項２４に記載の装置。
【請求項２８】
前記１つまたは複数の送信電力パラメータを決定するための前記手段は、前記ワイヤレス通信デバイスの最大アップリンク送信電力に等しい初期送信電力またはゼロに等しい送信電力ステップサイズのうちの少なくとも１つを決定するための手段を備える、請求項２４に記載の装置。
【請求項２９】
前記決定された１つまたは複数の送信電力パラメータおよび前記ワイヤレス通信デバイスの最大アップリンク送信電力に少なくとも部分的に基づいて、前記第１のランダムアクセス要求シーケンス中で送信されるべきランダムアクセス要求の最大数を識別するための手段と、
ランダムアクセス要求の前記識別された最大数に少なくとも部分的に基づいて、前記第１のランダムアクセス要求シーケンスを実行するための手段と、をさらに備える、請求項２４に記載の装置。
【請求項３０】
ワイヤレス通信デバイスにおける通信のための装置であって、
ランダムアクセス要求シーケンスのための繰返しレベルを識別するための手段と、
前の繰返しレベルでの前のランダムアクセス要求シーケンスのアップリンク送信電力に少なくとも部分的に基づいて、前記ランダムアクセス要求シーケンスのための１つまたは複数の送信電力パラメータを決定するための手段と、を備える装置。
【請求項３１】
前記１つまたは複数の送信電力パラメータを決定するための前記手段は、前記繰返しレベルと、前記前の繰返しレベルとの比較に少なくとも部分的に基づいて動作可能である、請求項３０に記載の装置。
【請求項３２】
前記１つまたは複数の送信電力パラメータを決定するための前記手段は、前記ランダムアクセス要求シーケンスの初期ランダムアクセス要求のためのアップリンク送信電力を、前記前のランダムアクセス要求シーケンスの前のアップリンク送信電力と同じ値になるように設定するための手段を備える、請求項３０に記載の装置。
【請求項３３】
前記１つまたは複数の送信電力パラメータを決定するための前記手段は、前記ランダムアクセス要求シーケンスのランダムアクセス要求のためのアップリンク送信電力を、前記ワイヤレス通信デバイスの最大アップリンク送信電力になるように設定するための手段を備える、請求項３０に記載の装置。
【請求項３４】
前記１つまたは複数の送信電力パラメータを決定するための前記手段は、冗長送信の数が繰返しレベル閾値を超えると決定することに少なくとも部分的に基づいて動作可能である、請求項３３に記載の装置。
【請求項３５】
前記繰返しレベルの冗長送信の数は前記前の繰返しレベルの冗長送信の数よりも大きい、請求項３０に記載の装置。
【請求項３６】
前記前のランダムアクセス要求シーケンスの最終ランダムアクセス要求の最終アップリンク送信電力は、前記ランダムアクセス要求シーケンスの初期ランダムアクセス要求のための初期アップリンク送信電力よりも大きい、請求項３０に記載の装置。
【請求項３７】
前記１つまたは複数の送信電力パラメータを決定するための前記手段は、前記ワイヤレス通信デバイスによって受信された信号から決定されたチャネル状態に少なくとも部分的に基づいて動作可能である、請求項３０に記載の装置。
【請求項３８】
前記ランダムアクセス要求シーケンスの２つ以上の繰り返されるランダムアクセス要求の各々のための冗長送信のためのリソースセットは、前記繰返しレベルに少なくとも部分的に基づいて決定される、請求項３０に記載の装置。
【請求項３９】
ワイヤレス通信デバイスにおける通信のための装置であって、
ランダムアクセス手順に関連付けられた１つまたは複数の送信電力パラメータを指示する構成メッセージを受信するための手段と、
ランダムアクセス要求手順の第１のランダムアクセス要求シーケンスのための第１の繰返しレベルを識別するための手段と、
前記識別された第１の繰返しレベルおよび前記１つまたは複数の送信電力パラメータに少なくとも部分的に基づいて、前記第１のランダムアクセス要求シーケンスの初期ランダムアクセス要求のための第１のアップリンク送信電力を決定するための手段と、を備える装置。
【請求項４０】
前記１つまたは複数の送信電力パラメータは、１つもしくは複数の繰返しレベルのための初期送信電力、前記１つもしくは複数の繰返しレベルのための送信電力ステップサイズ、またはそれらの任意の組合せを備える、請求項３９に記載の装置。
【請求項４１】
前記１つまたは複数の送信電力パラメータの送信電力ステップサイズに少なくとも部分的に基づいて、前記第１のランダムアクセス要求シーケンスの後続ランダムアクセス要求のための第２のアップリンク送信電力を決定するための手段をさらに備える、請求項３９に記載の装置。
【請求項４２】
前記第２のアップリンク送信電力は、前記ワイヤレス通信デバイスの最大アップリンク送信電力になるように決定される、請求項４１に記載の装置。
【請求項４３】
第２のランダムアクセス要求シーケンスのための第２の繰返しレベルを識別するための手段と、
前記第１のランダムアクセス要求シーケンスの最終送信電力または前記１つもしくは複数の送信電力パラメータのうちの少なくとも１つに少なくとも部分的に基づいて、前記第２のランダムアクセス要求シーケンスの初期ランダムアクセス要求のための第３のアップリンク送信電力を決定するための手段と、をさらに備える、請求項３９に記載の装置。
【請求項４４】
前記第３のアップリンク送信電力を決定するための手段は、前記第３のアップリンク送信電力を、前記第１のランダムアクセス要求シーケンスの最終ランダムアクセス要求の最終送信電力と等しくなるように設定するための手段を備える、請求項４３に記載の装置。
【請求項４５】
前記第３のアップリンク送信電力は、前記ワイヤレス通信デバイスの最大アップリンク送信電力になるように決定される、請求項４３に記載の装置。
【請求項４６】
前記ワイヤレス通信デバイスによって受信された信号に少なくとも部分的に基づいてチャネル状態を決定するための手段と、
前記決定されたチャネル状態に少なくとも部分的に基づいて、前記第３のアップリンク送信電力を決定するための手段と、をさらに備える、請求項４３に記載の装置。
【請求項４７】
ワイヤレス通信デバイスにおける通信のための装置であって、
プロセッサと、
前記プロセッサと電子通信しているメモリと、
前記メモリに記憶された命令と、を備え、前記命令は、前記ワイヤレス通信デバイスに、
ランダムアクセス要求手順の第１のランダムアクセス要求シーケンスのための複数の繰返しレベルから、第１の繰返しレベルを識別させ、
前記第１の繰返しレベルに少なくとも部分的に基づいて、前記第１のランダムアクセス要求シーケンスの１つまたは複数のランダムアクセス要求のための１つまたは複数の送信電力パラメータを決定させ、
前記１つまたは複数の送信電力パラメータに従って、前記第１のランダムアクセス要求シーケンスの前記１つまたは複数のランダムアクセス要求を送信させるように、前記プロセッサによって実行可能である、装置。
【請求項４８】
前記ワイヤレス通信デバイスに、
前記ワイヤレス通信デバイスにおいて受信された信号に少なくとも部分的に基づいてチャネル状態を決定させるように、前記プロセッサによって実行可能な命令をさらに備え、
前記第１のランダムアクセス要求シーケンスのための前記第１の繰返しレベルを識別するための前記命令は、前記決定されたチャネル状態に少なくとも部分的に基づいて動作可能である、請求項４７に記載の装置。
【請求項４９】
前記ワイヤレス通信デバイスに、
前記ワイヤレス通信デバイスにおいて受信された信号に少なくとも部分的に基づいてチャネル状態を決定させるように、前記プロセッサによって実行可能な命令をさらに備え、
前記１つまたは複数の送信電力パラメータを決定するための前記命令は、前記決定されたチャネル状態に少なくとも部分的に基づいて動作可能である、請求項４７に記載の装置。
【請求項５０】
前記１つまたは複数の送信電力パラメータを決定するための前記命令は、前記第１のランダムアクセス要求シーケンスのための初期アップリンク送信電力または送信電力ステップサイズのうちの少なくとも１つを決定するための命令を備える、請求項４７に記載の装置。
【請求項５１】
前記１つまたは複数の送信電力パラメータを決定するための前記命令は、前記ワイヤレス通信デバイスの最大アップリンク送信電力に等しい初期送信電力またはゼロに等しい送信電力ステップサイズのうちの少なくとも１つを決定するための命令を備える、請求項４７に記載の装置。
【請求項５２】
前記ワイヤレス通信デバイスに、
前記決定された１つまたは複数の送信電力パラメータおよび前記ワイヤレス通信デバイスの最大アップリンク送信電力に少なくとも部分的に基づいて、前記第１のランダムアクセス要求シーケンス中で送信されるべきランダムアクセス要求の最大数を識別させ、
ランダムアクセス要求の前記識別された最大数に少なくとも部分的に基づいて、前記第１のランダムアクセス要求シーケンスを実行させるように、前記プロセッサによって実行可能な命令をさらに備える、請求項４７に記載の装置。
【請求項５３】
ワイヤレス通信デバイスにおける通信のための装置であって、
プロセッサと、
前記プロセッサと電子通信しているメモリと、
前記メモリに記憶された命令と、を備え、前記命令は、前記ワイヤレス通信デバイスに、
ランダムアクセス要求シーケンスのための繰返しレベルを識別させ、
前の繰返しレベルでの前のランダムアクセス要求シーケンスのアップリンク送信電力に少なくとも部分的に基づいて、前記ランダムアクセス要求シーケンスのための１つまたは複数の送信電力パラメータを決定させるように、前記プロセッサによって実行可能である、装置。
【請求項５４】
前記１つまたは複数の送信電力パラメータを決定するための前記命令は、前記繰返しレベルと、前記前の繰返しレベルとの比較に少なくとも部分的に基づいて動作可能である、請求項５３に記載の装置。
【請求項５５】
前記１つまたは複数の送信電力パラメータを決定するための前記命令は、前記ランダムアクセス要求シーケンスの初期ランダムアクセス要求のためのアップリンク送信電力を、前記前のランダムアクセス要求シーケンスの前のアップリンク送信電力と同じ値になるように設定するための命令を備える、請求項５３に記載の装置。
【請求項５６】
前記１つまたは複数の送信電力パラメータを決定するための前記命令は、前記ランダムアクセス要求シーケンスのランダムアクセス要求のためのアップリンク送信電力を、前記ワイヤレス通信デバイスの最大アップリンク送信電力になるように設定するための命令を備える、請求項５３に記載の装置。
【請求項５７】
前記１つまたは複数の送信電力パラメータを決定するための前記命令は、冗長送信の数が繰返しレベル閾値を超えると決定することに少なくとも部分的に基づいて動作可能である、請求項５６に記載の装置。
【請求項５８】
前記繰返しレベルの冗長送信の数は前記前の繰返しレベルの冗長送信の数よりも大きい、請求項５３に記載の装置。
【請求項５９】
前記前のランダムアクセス要求シーケンスの最終ランダムアクセス要求の最終アップリンク送信電力は、前記ランダムアクセス要求シーケンスの初期ランダムアクセス要求のための初期アップリンク送信電力よりも大きい、請求項５３に記載の装置。
【請求項６０】
前記１つまたは複数の送信電力パラメータを決定するための前記命令は、前記ワイヤレス通信デバイスによって受信された信号から決定されたチャネル状態に少なくとも部分的に基づいて動作可能である、請求項５３に記載の装置。
【請求項６１】
前記ランダムアクセス要求シーケンスの２つ以上の繰り返されるランダムアクセス要求の各々のための冗長送信のためのリソースセットは、前記繰返しレベルに少なくとも部分的に基づいて決定される、請求項５３に記載の装置。
【請求項６２】
ワイヤレス通信デバイスにおける通信のための装置であって、
プロセッサと、
前記プロセッサと電子通信しているメモリと、
前記メモリに記憶された命令と、を備え、前記命令は、前記ワイヤレス通信デバイスに、
ランダムアクセス手順に関連付けられた１つまたは複数の送信電力パラメータを指示する構成メッセージを受信させ、
ランダムアクセス要求手順の第１のランダムアクセス要求シーケンスのための第１の繰返しレベルを識別させ、
前記識別された第１の繰返しレベルおよび前記１つまたは複数の送信電力パラメータに少なくとも部分的に基づいて、前記第１のランダムアクセス要求シーケンスの初期ランダムアクセス要求のための第１のアップリンク送信電力を決定させるように、前記プロセッサによって実行可能である、装置。
【請求項６３】
前記１つまたは複数の送信電力パラメータは、１つもしくは複数の繰返しレベルのための初期送信電力、前記１つもしくは複数の繰返しレベルのための送信電力ステップサイズ、またはそれらの任意の組合せを備える、請求項６２に記載の装置。
【請求項６４】
前記ワイヤレス通信デバイスに、
前記１つまたは複数の送信電力パラメータの送信電力ステップサイズに少なくとも部分的に基づいて、前記第１のランダムアクセス要求シーケンスの後続ランダムアクセス要求のための第２のアップリンク送信電力を決定させるように、前記プロセッサによって実行可能な命令をさらに備える、請求項６２に記載の装置。
【請求項６５】
前記第２のアップリンク送信電力は、前記ワイヤレス通信デバイスの最大アップリンク送信電力になるように決定される、請求項６４に記載の装置。
【請求項６６】
前記ワイヤレス通信デバイスに、
第２のランダムアクセス要求シーケンスのための第２の繰返しレベルを識別させ、
前記第１のランダムアクセス要求シーケンスの最終送信電力または前記１つもしくは複数の送信電力パラメータのうちの少なくとも１つに少なくとも部分的に基づいて、前記第２のランダムアクセス要求シーケンスの初期ランダムアクセス要求のための第３のアップリンク送信電力を決定させるように、前記プロセッサによって実行可能な命令をさらに備える、請求項６２に記載の装置。
【請求項６７】
前記第３のアップリンク送信電力を決定するための前記命令は、前記第３のアップリンク送信電力を、前記第１のランダムアクセス要求シーケンスの最終ランダムアクセス要求の最終送信電力と等しくなるように設定するための命令を備える、請求項６６に記載の装置。
【請求項６８】
前記第３のアップリンク送信電力は、前記ワイヤレス通信デバイスの最大アップリンク送信電力になるように決定される、請求項６６に記載の装置。
【請求項６９】
前記ワイヤレス通信デバイスに、
前記ワイヤレス通信デバイスによって受信された信号に少なくとも部分的に基づいてチャネル状態を決定させ、
前記決定されたチャネル状態に少なくとも部分的に基づいて、前記第３のアップリンク送信電力を決定させるように、前記プロセッサによって実行可能な命令をさらに備える、請求項６６に記載の装置。
【請求項７０】
ワイヤレス通信のためのコードを記憶する非一時的コンピュータ可読媒体であって、前記コードは、
ランダムアクセス要求手順の第１のランダムアクセス要求シーケンスのための複数の繰返しレベルから、第１の繰返しレベルを識別し、
前記第１の繰返しレベルに少なくとも部分的に基づいて、前記第１のランダムアクセス要求シーケンスの１つまたは複数のランダムアクセス要求のための１つまたは複数の送信電力パラメータを決定し、
前記１つまたは複数の送信電力パラメータに従って、前記第１のランダムアクセス要求シーケンスの前記１つまたは複数のランダムアクセス要求を送信するように実行可能な命令を備える、非一時的コンピュータ可読媒体。
【請求項７１】
ワイヤレス通信デバイスにおいて受信された信号に少なくとも部分的に基づいてチャネル状態を決定するように実行可能な命令をさらに備え、
前記第１のランダムアクセス要求シーケンスのための前記第１の繰返しレベルを識別するための前記命令は、前記決定されたチャネル状態に少なくとも部分的に基づいて動作可能である、請求項７０に記載の非一時的コンピュータ可読媒体。
【請求項７２】
ワイヤレス通信デバイスにおいて受信された信号に少なくとも部分的に基づいてチャネル状態を決定するように実行可能な命令をさらに備え、
前記１つまたは複数の送信電力パラメータを決定するための前記命令は、前記決定されたチャネル状態に少なくとも部分的に基づいて動作可能である、請求項７０に記載の非一時的コンピュータ可読媒体。
【請求項７３】
前記１つまたは複数の送信電力パラメータを決定するための前記命令は、前記第１のランダムアクセス要求シーケンスのための初期アップリンク送信電力または送信電力ステップサイズのうちの少なくとも１つを決定するための命令を備える、請求項７０に記載の非一時的コンピュータ可読媒体。
【請求項７４】
前記１つまたは複数の送信電力パラメータを決定するための前記命令は、ワイヤレス通信デバイスの最大アップリンク送信電力に等しい初期送信電力またはゼロに等しい送信電力ステップサイズのうちの少なくとも１つを決定するための命令を備える、請求項７０に記載の非一時的コンピュータ可読媒体。
【請求項７５】
前記決定された１つまたは複数の送信電力パラメータおよびワイヤレス通信デバイスの最大アップリンク送信電力に少なくとも部分的に基づいて、前記第１のランダムアクセス要求シーケンス中で送信されるべきランダムアクセス要求の最大数を識別し、
ランダムアクセス要求の前記識別された最大数に少なくとも部分的に基づいて、前記第１のランダムアクセス要求シーケンスを実行するように実行可能な命令をさらに備える、請求項７０に記載の非一時的コンピュータ可読媒体。
【請求項７６】
ワイヤレス通信のためのコードを記憶する非一時的コンピュータ可読媒体であって、前記コードは、
ランダムアクセス要求シーケンスのための繰返しレベルを識別し、
前の繰返しレベルでの前のランダムアクセス要求シーケンスのアップリンク送信電力に少なくとも部分的に基づいて、前記ランダムアクセス要求シーケンスのための１つまたは複数の送信電力パラメータを決定するように実行可能な命令を備える、非一時的コンピュータ可読媒体。
【請求項７７】
前記１つまたは複数の送信電力パラメータを決定するための前記命令は、前記繰返しレベルと、前記前の繰返しレベルとの比較に少なくとも部分的に基づいて動作可能である、請求項７６に記載の非一時的コンピュータ可読媒体。
【請求項７８】
前記１つまたは複数の送信電力パラメータを決定するための前記命令は、前記ランダムアクセス要求シーケンスの初期ランダムアクセス要求のためのアップリンク送信電力を、前記前のランダムアクセス要求シーケンスの前のアップリンク送信電力と同じ値になるように設定するための命令を備える、請求項７６に記載の非一時的コンピュータ可読媒体。
【請求項７９】
前記１つまたは複数の送信電力パラメータを決定するための前記命令は、前記ランダムアクセス要求シーケンスのランダムアクセス要求のためのアップリンク送信電力を、ワイヤレス通信デバイスの最大アップリンク送信電力になるように設定するための命令を備える、請求項７６に記載の非一時的コンピュータ可読媒体。
【請求項８０】
前記１つまたは複数の送信電力パラメータを決定するための前記命令は、冗長送信の数が繰返しレベル閾値を超えると決定することに少なくとも部分的に基づいて動作可能である、請求項７９に記載の非一時的コンピュータ可読媒体。
【請求項８１】
前記繰返しレベルの冗長送信の数は前記前の繰返しレベルの冗長送信の数よりも大きい、請求項７６に記載の非一時的コンピュータ可読媒体。
【請求項８２】
前記前のランダムアクセス要求シーケンスの最終ランダムアクセス要求の最終アップリンク送信電力は、前記ランダムアクセス要求シーケンスの初期ランダムアクセス要求のための初期アップリンク送信電力よりも大きい、請求項７６に記載の非一時的コンピュータ可読媒体。
【請求項８３】
前記１つまたは複数の送信電力パラメータを決定するための前記命令は、ワイヤレス通信デバイスによって受信された信号から決定されたチャネル状態に少なくとも部分的に基づいて動作可能である、請求項７６に記載の非一時的コンピュータ可読媒体。
【請求項８４】
前記ランダムアクセス要求シーケンスの２つ以上の繰り返されるランダムアクセス要求の各々のための冗長送信のためのリソースセットは、前記繰返しレベルに少なくとも部分的に基づいて決定される、請求項７６に記載の非一時的コンピュータ可読媒体。
【請求項８５】
ワイヤレス通信のためのコードを記憶する非一時的コンピュータ可読媒体であって、前記コードは、
ランダムアクセス手順に関連付けられた１つまたは複数の送信電力パラメータを指示する構成メッセージを受信し、
ランダムアクセス要求手順の第１のランダムアクセス要求シーケンスのための第１の繰返しレベルを識別し、
前記識別された第１の繰返しレベルおよび前記１つまたは複数の送信電力パラメータに少なくとも部分的に基づいて、前記第１のランダムアクセス要求シーケンスの初期ランダムアクセス要求のための第１のアップリンク送信電力を決定するように実行可能な命令を備える、非一時的コンピュータ可読媒体。
【請求項８６】
前記１つまたは複数の送信電力パラメータは、１つもしくは複数の繰返しレベルのための初期送信電力、前記１つもしくは複数の繰返しレベルのための送信電力ステップサイズ、またはそれらの任意の組合せを備える、請求項８５に記載の非一時的コンピュータ可読媒体。
【請求項８７】
前記１つまたは複数の送信電力パラメータの送信電力ステップサイズに少なくとも部分的に基づいて、前記第１のランダムアクセス要求シーケンスの後続ランダムアクセス要求のための第２のアップリンク送信電力を決定するように実行可能な命令をさらに備える、請求項８５に記載の非一時的コンピュータ可読媒体。
【請求項８８】
前記第２のアップリンク送信電力は、ワイヤレス通信デバイスの最大アップリンク送信電力になるように決定される、請求項８７に記載の非一時的コンピュータ可読媒体。
【請求項８９】
第２のランダムアクセス要求シーケンスのための第２の繰返しレベルを識別し、
前記第１のランダムアクセス要求シーケンスの最終送信電力または前記１つもしくは複数の送信電力パラメータのうちの少なくとも１つに少なくとも部分的に基づいて、前記第２のランダムアクセス要求シーケンスの初期ランダムアクセス要求のための第３のアップリンク送信電力を決定するように実行可能な命令をさらに備える、請求項８５に記載の非一時的コンピュータ可読媒体。
【請求項９０】
前記第３のアップリンク送信電力を決定するための前記命令は、前記第３のアップリンク送信電力を、前記第１のランダムアクセス要求シーケンスの最終ランダムアクセス要求の最終送信電力と等しくなるように設定するための命令を備える、請求項８９に記載の非一時的コンピュータ可読媒体。
【請求項９１】
前記第３のアップリンク送信電力は、ワイヤレス通信デバイスの最大アップリンク送信電力になるように決定される、請求項８９に記載の非一時的コンピュータ可読媒体。
【請求項９２】
ワイヤレス通信デバイスによって受信された信号に少なくとも部分的に基づいてチャネル状態を決定し、
前記決定されたチャネル状態に少なくとも部分的に基づいて、前記第３のアップリンク送信電力を決定するように実行可能な命令をさらに備える、請求項８９に記載の非一時的コンピュータ可読媒体。
【発明の詳細な説明】
【技術分野】
【０００１】
相互参照
[0001]  本特許出願は、そのそれぞれが本出願の譲受人に譲渡され、参照により本明細書に明確に組み込まれる、２０１６年３月２日に出願された、Ｃｈｅｎらによる「Ｒｅｐｅｔｉｔｉｏｎ  Ｌｅｖｅｌ  Ｃｏｖｅｒａｇｅ  Ｅｎｈａｎｃｅｍｅｎｔ  Ｔｅｃｈｎｉｑｕｅｓ  ｆｏｒ  Ｐｈｙｓｉｃａｌ  Ｒａｎｄｏｍ  Ａｃｃｅｓｓ  Ｃｈａｎｎｅｌ  Ｔｒａｎｓｍｉｓｓｉｏｎｓ」という名称の米国特許出願第１５／０５９，０７５号、および２０１５年３月６日に出願された、Ｃｈｅｎらによる「Ｃｏｖｅｒａｇｅ  Ｅｎｈａｎｃｅｍｅｎｔ  Ｔｅｃｈｎｉｑｕｅｓ  ｆｏｒ  Ｐｈｙｓｉｃａｌ  Ｒａｎｄｏｍ  Ａｃｃｅｓｓ  Ｃｈａｎｎｅｌ  Ｔｒａｎｓｍｉｓｓｉｏｎｓ」という名称の米国仮特許出願第６２／１２９，６７３号に基づく優先権を主張する。
【０００２】
[0002]  以下は、概してワイヤレス通信に関し、より詳細には、ランダムアクセス要求送信（random access request transmission）のための繰返しレベルカバレージ拡張技法（repetition level coverage enhancement technique）に関する。
【背景技術】
【０００３】
[0003]  ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標）：Long Term Evolution）システム）が含まれる。
【０００４】
[0004]  例として、ワイヤレス多元接続通信システムは、各々がユーザ機器（ＵＥ：user equipment）と呼ばれることがある、複数の通信デバイスのための通信を各々が同時にサポートする、いくつかの基地局を含み得る。基地局は、（たとえば、基地局からＵＥへの送信のために）ダウンリンクチャネル上で、および（たとえば、ＵＥから基地局への送信のために）アップリンクチャネル上で通信デバイスと通信し得る。
【０００５】
[0005]  いくつかのタイプのワイヤレス通信デバイス（wireless communications device）は、自動化された通信を提供し得る。自動化ワイヤレス通信デバイスは、マシンツーマシン（Ｍ２Ｍ：Machine-to-Machine）通信またはマシンタイプ通信（ＭＴＣ：Machine Type Communication）を実装するものを含み得る。Ｍ２Ｍおよび／またはＭＴＣは、デバイスが人の介入なしに互いにまたは基地局と通信することを可能にするデータ通信技術を指すことがある。たとえば、Ｍ２Ｍおよび／またはＭＴＣは、センサーまたはメーターを組み込んで情報を測定またはキャプチャし、情報を活用することができる中央サーバもしくはアプリケーションプログラムにその情報を中継するか、またはプログラムもしくはアプリケーションと対話する人間に情報を提示するデバイスからの通信を指すことがある。
【０００６】
[0006]  ＭＴＣデバイスは、情報を収集するため、または、マシンの自動化された挙動を可能にするために使用され得る。ＭＴＣデバイスに関する適用例としては、スマートメータリング、インベントリモニタリング、水位モニタリング、機器モニタリング、ヘルスケアモニタリング、野生生物モニタリング、天候および地質学的事象モニタリング、フリート管理および追跡（fleet management and tracking）、リモートセキュリティ検知、物理的アクセス制御、ならびにトランザクションベースのビジネス課金（transaction-based business charging）がある。
【０００７】
[0007]  いくつかのワイヤレス通信システムでは、システム能力および堅牢性を向上するために、（たとえば、固定ロケーションＭＴＣデバイスのための）カバレージを拡張することが望ましい場合がある。１つのカバレージ拡張技法（coverage enhancement technique）は、送信に応答して目標デバイスから肯定応答が受信されるまで、時間増分にわたって、送信を繰り返すことを含む。ただし、システムカバレージおよび信頼性と、システムリソースの電力消費および使用との釣合いをとることに課題が存在する。
【発明の概要】
【０００８】
[0008]  説明される特徴は概して、ワイヤレス通信ネットワーク（wireless communications network）におけるランダムアクセス要求送信のためのカバレージ拡張技法のための１つまたは複数のシステム、方法、および装置に関する。たとえば、物理ランダムアクセスチャネル（physical random access channel）を介した送信のためのアップリンク送信電力設定は、アップリンクチャネル繰返しレベル（uplink channel repetition level）を構成するか、またはそれらに基づき得る。追加または代替として、送信電力設定（transmit power setting）はまた、事前のアップリンクチャネル送信（prior uplink channel transmission）に関連付けられる電力ランプアップ（power ramp-up）、および／または無線周波数スペクトル帯域用に決定されたチャネル状態（channel condition）を含めて、他の要因に基づき得る。
【０００９】
[0009]  ワイヤレス通信デバイスにおける通信の方法について記載する。この方法は、ランダムアクセス要求手順（random access request procedure）の第１のランダムアクセス要求シーケンス（random access request sequence）のための複数の繰返しレベルから、第１の繰返しレベルを識別することと、第１の繰返しレベルに少なくとも部分的に基づいて、第１のランダムアクセス要求シーケンスの１つまたは複数のランダムアクセス要求のための１つまたは複数の送信電力パラメータ（transmission power parameter）を決定することと、１つまたは複数の送信電力パラメータに従って、第１のランダムアクセス要求シーケンスの１つまたは複数のランダムアクセス要求（random access request）を送信することとを含み得る。
【００１０】
[0010]  ワイヤレス通信デバイスにおける通信のための装置について記載する。この装置は、ランダムアクセス要求手順の第１のランダムアクセス要求シーケンスのための複数の繰返しレベルから、第１の繰返しレベルを識別するための手段と、第１の繰返しレベルに少なくとも部分的に基づいて、第１のランダムアクセス要求シーケンスの１つまたは複数のランダムアクセス要求のための１つまたは複数の送信電力パラメータを決定するための手段と、１つまたは複数の送信電力パラメータに従って、第１のランダムアクセス要求シーケンスの１つまたは複数のランダムアクセス要求を送信するための手段とを含み得る。
【００１１】
[0011]  ワイヤレス通信デバイスにおける通信のための装置について記載する。この装置は、プロセッサと、プロセッサと電子通信しているメモリと、メモリに記憶された命令とを含み得る。命令は、ワイヤレス通信デバイスに、ランダムアクセス要求手順の第１のランダムアクセス要求シーケンスのための複数の繰返しレベルから、第１の繰返しレベルを識別させ、第１の繰返しレベルに少なくとも部分的に基づいて、第１のランダムアクセス要求シーケンスの１つまたは複数のランダムアクセス要求のための１つまたは複数の送信電力パラメータを決定させ、１つまたは複数の送信電力パラメータに従って、第１のランダムアクセス要求シーケンスの１つまたは複数のランダムアクセス要求を送信させるように、プロセッサによって実行可能であり得る。
【００１２】
[0012]  ワイヤレス通信のためのコード（code）を記憶する非一時的コンピュータ可読媒体（non-transitory computer-readable medium）について記載する。コードは、ランダムアクセス要求手順の第１のランダムアクセス要求シーケンスのための複数の繰返しレベルから、第１の繰返しレベルを識別し、第１の繰返しレベルに少なくとも部分的に基づいて、第１のランダムアクセス要求シーケンスの１つまたは複数のランダムアクセス要求のための１つまたは複数の送信電力パラメータを決定し、１つまたは複数の送信電力パラメータに従って、第１のランダムアクセス要求シーケンスの１つまたは複数のランダムアクセス要求を送信するように実行可能な命令を含み得る。
【００１３】
[0013]  方法、装置、または非一時的コンピュータ可読媒体のいくつかの例は、ワイヤレス通信デバイスにおいて受信された信号に少なくとも部分的に基づいてチャネル状態を決定するためのステップ、手段、特徴、または命令を含み得る。方法、装置、または非一時的コンピュータ可読媒体のいくつかの例において、第１のランダムアクセス要求シーケンスのための第１の繰返しレベルを識別することは、決定されたチャネル状態に基づき得る。方法、装置、または非一時的コンピュータ可読媒体のいくつかの例において、１つまたは複数の送信電力パラメータを決定することは、決定されたチャネル状態基づき得る。
【００１４】
[0014]  方法、装置、または非一時的コンピュータ可読媒体のいくつかの例において、１つまたは複数の送信電力パラメータを決定することは、第１のランダムアクセス要求シーケンスのための初期送信電力（initial transmit power）または送信電力ステップサイズ（transmit power step size）のうちの少なくとも１つを決定することを含み得る。いくつかの例において、１つまたは複数の送信電力パラメータを決定することは、最大送信電力（maximum transmit power）に等しい初期送信電力、またはゼロに等しい送信電力ステップサイズのうちの少なくとも１つを決定することを含み得る。
【００１５】
[0015]  方法、装置、または非一時的コンピュータ可読媒体のいくつかの例は、決定された１つまたは複数の送信電力パラメータおよび最大アップリンク送信電力（maximum uplink transmit power）に基づいて、第１のランダムアクセス要求シーケンス中で送信されるべきランダムアクセス要求の最大数（maximum number）を識別し、ランダムアクセス要求の識別された最大数に少なくとも部分的に基づいて、第１のランダムアクセス要求シーケンスを実行する（perform）ためのステップ、手段、特徴、または命令を含み得る。
【００１６】
[0016]  ワイヤレス通信デバイスにおける通信の方法について記載する。この方法は、ランダムアクセス要求シーケンスのための繰返しレベルを識別することと、前の繰返しレベルでの前のランダムアクセス要求シーケンスの送信電力に基づいて、ランダムアクセス要求シーケンスのための１つまたは複数の送信電力パラメータを決定することとを含み得る。
【００１７】
[0017]  ワイヤレス通信デバイスにおける通信のための装置について記載する。この装置は、ランダムアクセス要求シーケンスのための繰返しレベルを識別するための手段と、前の繰返しレベルでの前のランダムアクセス要求シーケンスの送信電力に少なくとも部分的に基づいて、ランダムアクセス要求シーケンスのための１つまたは複数の送信電力パラメータを決定するための手段とを含み得る。
【００１８】
[0018]  ワイヤレス通信デバイスにおける通信のための装置について記載する。この装置は、プロセッサと、プロセッサと電子通信するメモリと、メモリ内に記憶された命令とを含み得る。命令は、ワイヤレス通信デバイスに、ランダムアクセス要求シーケンスのための繰返しレベルを識別させ、前の繰返しレベルでの前のランダムアクセス要求シーケンスの送信電力に少なくとも部分的に基づいて、ランダムアクセス要求シーケンスのための１つまたは複数の送信電力パラメータを決定させるように、プロセッサによって実行可能であり得る。
【００１９】
[0019]  ワイヤレス通信のためのコードを記憶する非一時的コンピュータ可読媒体について記載する。コードは、ランダムアクセス要求シーケンスのための繰返しレベルを識別し、前の繰返しレベルでの前のランダムアクセス要求シーケンスの送信電力に少なくとも部分的に基づいて、ランダムアクセス要求シーケンスのための１つまたは複数の送信電力パラメータを決定するように実行可能な命令を含み得る。
【００２０】
[0020]  方法、装置、または非一時的コンピュータ可読媒体のいくつかの例において、１つまたは複数の送信電力パラメータを決定することは、繰返しレベルと、前の繰返しレベルとの比較に少なくとも部分的に基づき得る。いくつかの例において、１つまたは複数の送信電力パラメータを決定することは、ランダムアクセス要求シーケンスの初期ランダムアクセス要求（initial random access request）のための送信電力を、前のランダムアクセス要求シーケンスの前の送信電力と同じ値になるように設定するためのステップ、手段、特徴、または命令を含み得る。
【００２１】
[0021]  方法、装置、または非一時的コンピュータ可読媒体のいくつかの例において、１つまたは複数の送信電力パラメータを決定することは、ランダムアクセス要求シーケンスのランダムアクセス要求のための送信電力を、最大送信電力になるように設定するためのステップ、手段、特徴、または命令を含み得る。いくつかの例において、１つまたは複数の送信電力パラメータを決定することは、冗長送信の数が繰返しレベル閾値を超えると決定することに基づき得る。
【００２２】
[0022]  方法、装置、または非一時的コンピュータ可読媒体のいくつかの例において、繰返しレベルの冗長送信の数は、前の繰返しレベルの冗長送信の数よりも大きくてよい。方法、装置、または非一時的コンピュータ可読媒体のいくつかの例において、前のランダムアクセス要求シーケンスの最終ランダムアクセス要求（last random access request）の最終送信電力（last transmit power）は、ランダムアクセス要求シーケンスの初期ランダムアクセス要求のための初期送信電力よりも大きくてよい。
【００２３】
[0023]  方法、装置、または非一時的コンピュータ可読媒体のいくつかの例において、１つまたは複数の送信電力パラメータを決定することは、ワイヤレス通信デバイスによって受信された信号から決定されたチャネル状態に基づき得る。方法、装置、または非一時的コンピュータ可読媒体のいくつかの例において、ランダムアクセス要求シーケンスの２つ以上の繰り返されるランダムアクセス要求の各々のための冗長送信（redundant transmission）のためのリソースセット（resource set）は、繰返しレベルに基づいて決定され得る。
【００２４】
[0024]  ワイヤレス通信デバイスにおける通信の方法について記載する。この方法は、ランダムアクセス手順（random access procedure）に関連付けられた１つまたは複数の送信電力パラメータを指示する構成メッセージ（configuration message）を受信することと、ランダムアクセス要求手順の第１のランダムアクセス要求シーケンスのための第１の繰返しレベルを識別することと、識別された第１の繰返しレベルおよび１つまたは複数の送信電力パラメータに少なくとも部分的に基づいて、第１のランダムアクセス要求シーケンスの初期ランダムアクセス要求のための第１の送信電力を決定することとを含み得る。
【００２５】
[0025]  ワイヤレス通信デバイスにおける通信のための装置について記載する。この装置は、ランダムアクセス手順に関連付けられた１つまたは複数の送信電力パラメータを指示する構成メッセージを受信するための手段と、ランダムアクセス要求手順の第１のランダムアクセス要求シーケンスのための第１の繰返しレベルを識別するための手段と、識別された第１の繰返しレベルおよび１つまたは複数の送信電力パラメータに少なくとも部分的に基づいて、第１のランダムアクセス要求シーケンスの初期ランダムアクセス要求のための第１の送信電力を決定するための手段とを含み得る。
【００２６】
[0026]  ワイヤレス通信デバイスにおける通信のための装置について記載する。この装置は、プロセッサと、プロセッサと電子通信するメモリと、メモリ内に記憶された命令とを含み得る。命令は、ワイヤレス通信デバイスに、ランダムアクセス手順に関連付けられた１つまたは複数の送信電力パラメータを指示する構成メッセージを受信させ、ランダムアクセス要求手順の第１のランダムアクセス要求シーケンスのための第１の繰返しレベルを識別させ、識別された第１の繰返しレベルおよび１つまたは複数の送信電力パラメータに少なくとも部分的に基づいて、第１のランダムアクセス要求シーケンスの初期ランダムアクセス要求のための第１の送信電力を決定させるように、プロセッサによって実行可能であり得る。
【００２７】
[0027]  ワイヤレス通信のためのコードを記憶する非一時的コンピュータ可読媒体について記載する。コードは、ランダムアクセス手順に関連付けられた１つまたは複数の送信電力パラメータを指示する構成メッセージを受信し、ランダムアクセス要求手順の第１のランダムアクセス要求シーケンスのための第１の繰返しレベルを識別し、識別された第１の繰返しレベルおよび１つまたは複数の送信電力パラメータに少なくとも部分的に基づいて、第１のランダムアクセス要求シーケンスの初期ランダムアクセス要求のための第１の送信電力を決定するように実行可能な命令を含み得る。
【００２８】
[0028]  方法、装置、または非一時的コンピュータ可読媒体のいくつかの例では、１つまたは複数の送信電力パラメータは、１つもしくは複数の繰返しレベルのための初期送信電力、１つもしくは複数の繰返しレベルのための送信電力ステップサイズ、またはそれらの任意の組合せを含み得る。
【００２９】
[0029]  方法、装置、または非一時的コンピュータ可読媒体のいくつかの例は、１つまたは複数の送信電力パラメータの送信電力ステップサイズに基づいて、第１のランダムアクセス要求シーケンスの後続ランダムアクセス要求（subsequent random access request）のための第２の送信電力を決定するためのステップ、手段、特徴、または命令を含み得る。
【００３０】
[0030]  方法、装置、または非一時的コンピュータ可読媒体のいくつかの例において、第２の送信電力は、最大送信電力になるように決定され得る。
【００３１】
[0031]  方法、装置、または非一時的コンピュータ可読媒体のいくつかの例は、第２のランダムアクセス要求シーケンスのための第２の繰返しレベルを識別し、第１のランダムアクセス要求シーケンスの最終送信電力または１つもしくは複数の送信電力パラメータのうちの少なくとも１つに基づいて、第２のランダムアクセス要求シーケンスの初期ランダムアクセス要求のための第３の送信電力を決定するためのステップ、手段、特徴、または命令を含み得る。
【００３２】
[0032]  方法、装置、または非一時的コンピュータ可読媒体のいくつかの例において、第３の送信電力を決定することは、第３の送信電力を、第１のランダムアクセス要求シーケンスの最終ランダムアクセス要求の最終送信電力と等しくなるように設定することを含み得る。いくつかの例において、第３の送信電力は、最大送信電力になるように決定され得る。
【００３３】
[0033]  方法、装置、または非一時的コンピュータ可読媒体のいくつかの例は、ワイヤレス通信デバイスによって受信された信号に基づいて、チャネル状態を決定し、決定されたチャネル状態に少なくとも部分的に基づいて、第３の送信電力を決定するためのステップ、手段、特徴、または命令を含み得る。
【００３４】
[0034]  上記では、以下の発明を実施するための形態がより良く理解され得るように、本開示による例の特徴および技術的利点がかなり広く概説された。以下で、追加の特徴および利点が説明される。開示する概念および具体例は、本開示の同じ目的を遂行するための他の構造を修正または設計するための基礎として容易に利用され得る。そのような等価な構築は、添付の特許請求の範囲から逸脱しない。本明細書に開示された概念、それらの構成と動作方法の両方、および関連する利点の特徴は、添付の図面に関連して考慮されるとき、以下の説明からより良く理解されるであろう。図の各々は、例示および説明のみの目的で与えられるものであり、特許請求の範囲の制限の定義として与えられるものではない。
【００３５】
[0035]  本発明の性質と利点とについてのさらなる理解は、以下の図面を参照することによって達成され得る。添付の図では、同様の構成要素または特徴は同じ参照ラベルを有し得る。さらに、同じタイプの様々な構成要素は、参照ラベルの後に、ダッシュと、同様の構成要素の間を区別する第２のラベルとを続けることによって区別され得る。本明細書において第１の参照ラベルのみが使用される場合、説明は、第２の参照ラベルにかかわらず、同一の第１の参照ラベルを有する同様の構成要素のうちの任意の１つに適用可能である。
【図面の簡単な説明】
【００３６】
【図１】[0036]  本開示の態様による、繰返しレベルカバレージ拡張技法が利用され得るワイヤレス通信システムの例を示す図。
【図２】[0037]  本開示の態様による、繰返しレベルカバレージ拡張技法が利用され得るワイヤレス通信サブシステムの例を示す図。
【図３】[0038]  本開示の態様による、基地局との通信リンクを確立するために、ＵＥによって実行され得るランダムアクセス要求手順の図。
【図４】[0039]  本開示の態様による、繰返しレベルカバレージ拡張技法を示すコールフロー図（call flow diagram）の例を示す図。
【図５】[0040]  本開示の態様による、繰返しレベルカバレージ拡張技法を示すコールフロー図の例を示す図。
【図６】[0041]  本開示の態様による、繰返しレベルカバレージ拡張技法を示すコールフロー図の例を示す図。
【図７】[0042]  本開示の態様による、繰返しレベルカバレージ拡張技法のために構成されたワイヤレス通信デバイスのブロック図。
【図８】[0043]  本開示の態様による、繰返しレベルカバレージ拡張技法のために構成された繰返しレベルカバレージ拡張マネージャのブロック図。
【図９】[0044]  本開示の態様による、繰返しレベルカバレージ拡張技法のために構成されたＵＥを含むシステムを示す図。
【図１０】[0045]  本開示の態様による、繰返しレベルカバレージ拡張技法を利用するワイヤレス通信のための方法を示すフローチャート。
【図１１】[0046]  本開示の態様による、繰返しレベルカバレージ拡張技法を利用するワイヤレス通信のための方法を示すフローチャート。
【図１２】[0047]  本開示の態様による、繰返しレベルカバレージ拡張技法を利用するワイヤレス通信のための方法を示すフローチャート。
【発明を実施するための形態】
【００３７】
[0048]  説明される特徴は概して、ワイヤレス通信ネットワークにおける物理ランダムアクセスチャネルのためのカバレージ拡張技法のための改良型システム、方法、または装置に関する。いくつかの例において、ワイヤレス通信ネットワークは、マシンタイプ通信（ＭＴＣ）またはマシンツーマシン（Ｍ２Ｍ）通信など、自動化された通信を利用することができ、そうすることによって、そのような通信は、人間の介入なしに提供され得る。場合によっては、ＭＴＣデバイスは、制限された能力を有し得る。たとえば、あるＭＴＣデバイスはブロードバンド容量を有し得るが、他のＭＴＣデバイスはナローバンド通信に限定され得る。このナローバンド制限は、たとえば、ＭＴＣデバイスがサービング基地局によって利用される全無線周波数スペクトル帯域幅を使用して制御チャネル情報を受信する能力に干渉し得る。ロングタームエボリューション（ＬＴＥ）技術に基づくプロトコルを利用するようないくつかのワイヤレス通信システムでは、制限された帯域幅能力を有するＭＴＣデバイス（または同様の能力を有する別のデバイス）は、カテゴリ０デバイスと呼ばれることがある。
【００３８】
[0049]  場合によっては、ＭＴＣデバイスは、低減されたピークデータレートを有し得る（たとえば、最大トランスポートブロックサイズ（maximum transport block size）は、１０００ビットであり得る）。加えて、ＭＴＣデバイスは、ランク１送信と、送信および受信するための単一のアンテナとを利用し得る。これは、ＭＴＣデバイスを半二重通信（half-duplex communication）に制限し得る（たとえば、デバイスは、同時に送信および受信することが可能ではないことがある）。ＭＴＣデバイスが半二重通信を利用する場合、デバイスは緩やかな切替え時間（たとえば、送信（Ｔｘ）から受信（Ｒｘ）への、または受信（Ｒｘ）から送信（Ｔｘ）への切替え時間）を有し得る。たとえば、非ＭＴＣデバイスのための公称切替え時間は２０μｓであり得、ＭＴＣデバイスのための公称切替え時間は１ｍｓであり得る。ワイヤレスシステムにおける拡張ＭＴＣ（たとえば、ｅＭＴＣ）動作は、ナローバンドＭＴＣデバイスがより広いシステム帯域幅動作（たとえば、１．４ＭＨｚ、３ＭＨｚ、５ＭＨｚ、１０ＭＨｚ、１５ＭＨｚ、２０ＭＨｚなど）内で効率的に動作することを可能にし得る。たとえば、ＭＴＣデバイスは、１．４ＭＨｚ帯域幅（たとえば、いくつかのＬＴＥベースのプロトコルによると、６つのリソースブロックなど）の帯域幅限定を有するが、より広い帯域幅（たとえば、３ＭＨｚ、５ＭＨｚ、１０ＭＨｚ、１５ＭＨｚ、２０ＭＨｚなど）を有する１つまたは複数のセルを介して通信することができる場合がある。いくつかの事例では、そのようなｅＭＴＣデバイスのカバレージ拡張（coverage enhancement）が、より信頼できる通信を提供するのに利用され得る。カバレージ拡張は、たとえば、電力増大（たとえば、１５ｄＢまでの）、および／または送信の冗長バージョンを提供するための送信時間間隔（ＴＴＩ：transmission time interval）のバンドリング（bundling）を含み得る。
【００３９】
[0050]  送信の、ある特定の数の冗長バージョンを提供するためのＴＴＩのバンドリングは、１つまたは複数の繰返しレベルに従って提供されてよく、繰返しレベルは、デバイスにおいて記憶および／または受信されたパラメータを含み得る。いくつかの例において、繰返しレベルによるＴＴＩのバンドリングは、物理アップリンク共有チャネル（ＰＵＳＣＨ：physical uplink shared channel）、物理ダウンリンク共有チャネル（ＰＤＳＣＨ：physical downlink shared channel）、拡張ＰＤＣＣＨ（ｅＰＤＣＣＨ）、物理ランダムアクセスチャネル（ＰＲＡＣＨ：physical random access channel）、および／または物理アップリンク制御チャネル（ＰＵＣＣＨ：physical uplink control channel）（たとえば、ＬＴＥベースのプロトコルによって定義される）など、いくつかのチャネルのためのカバレージを拡張するのに使われ得る。たとえば、ＰＲＡＣＨおよび関連メッセージを含む様々な物理チャネルが、ワイヤレス通信デバイスから繰返し送信される場合があり、異なるチャネルが、異なる繰返し数（たとえば、異なる繰返しレベル）を有する場合がある。いくつかのケースにおいて、ランダムアクセス要求の繰返しの回数（たとえば、冗長送信の数など）は、数十個の送信の規模であり得る。
【００４０】
[0051]  例として、ランダムアクセスの繰返しは、指定された最大繰返しレベル（たとえば、繰返しの最大数）までの、繰返しレベルのランプアップを含み得る。たとえば、様々なカバレージ拡張技法は、「ゼロカバレージ拡大（zero coverage extension）」レベルに加えて、３つの繰返しレベルを含み得る。したがって、システムは、最大レベルまでの構成可能な数（configurable number）の繰返しレベルを使用し得る。各繰返しレベルは、繰返し数（たとえば、ランダムアクセス要求の送信の数）に関連付けられてよく、これは、構成可能であってよく、および／または範囲を含んでよい。たとえば、ＵＥが、異なる繰返しレベルにおける構成に従って、ＰＲＡＣＨを介して連続的に送信することによって、基地局との通信リンクを確立するためのアクセスを要求し得る。１つまたは複数のランダムアクセス要求が各繰返しレベルにおいて行われてよく、各ランダムアクセス要求は、単一の送信（たとえば、単一のＰＲＡＣＨプリアンブル送信）を含み得るか、または複数の冗長送信（たとえば、同じ送信構成による同じＰＲＡＣＨプリアンブルの複数の繰返し）を含み得る。本明細書で使用する限り、特定の繰返しレベルでのランダムアクセス要求は、ランダムアクセス要求シーケンスと呼ばれ得る。たとえば、３つのランダムアクセス要求が、第１のランダムアクセス要求シーケンス中において第１の繰返しレベルで行われてよく、第２のランダムアクセス要求シーケンス中において第２の繰返しレベルで行われる５つのランダムアクセス要求が続く（ランダムアクセス応答（random access response）が受信されないと仮定する）。
【００４１】
[0052]  ある例では、ランダムアクセス要求手順（たとえば、ＰＲＡＣＨ手順）は、（いくつかの例では、ゼロ繰返しレベルに加え）３つの繰返しレベルを含んでよく、たとえば、繰返しレベル１、２、および３は、それぞれ、５、１０、および１５回の繰返しを、各々可能にし得る。この例によると、ワイヤレス通信デバイスは、第１のランダムアクセス要求シーケンス中の各ランダムアクセス要求のためにＰＲＡＣＨプリアンブルの送信を５回繰り返すこと（たとえば、５つの冗長送信）を含む、繰返しレベル１に関連付けられた構成に従ってランダムアクセス要求手順を開始することができる。デバイスが、第１の繰返しレベル（たとえば、第１の繰返しレベル向けに構成されたランダムアクセス要求の数など）に従ってランダムアクセス要求を実行している間にランダムアクセス応答を受信しない場合、デバイスは、繰返しレベル２に移行し、第２のランダムアクセス要求シーケンスを始動してよい。第２のランダムアクセス要求シーケンス中、デバイスは、第２のランダムアクセス要求シーケンス中の各ランダムアクセス要求のために、ＰＲＡＣＨプリアンブルの送信を１０回繰り返してよい。デバイスが、第２の繰返しレベルに従ってランダムアクセス要求を実行している間にランダムアクセス応答を受信しない場合、デバイスはその後、繰返しレベル３に移行し、第３のランダムアクセス要求シーケンスを始動してよい。第３のランダムアクセス要求シーケンス中、デバイスは、第３のランダムアクセス要求シーケンス中の各ランダムアクセス要求のために、ＰＲＡＣＨプリアンブルの送信を１５回繰り返してよい。
【００４２】
[0053]  いくつかのケースにおいて、デバイスは、各連続繰返しレベルとともに、またはある繰返しレベルにおいて、送信電力を増加させてよく、これは、送信電力ランプアップと呼ばれ得る。デバイスは、ランダムアクセス要求を、繰返しレベル１における初期送信電力、繰返しレベル２におけるより高い送信電力、および繰返しレベル３におけるより一層高い送信電力で送信することができる。いくつかの実施形態では、最大送信電力（たとえば、ＵＥ１１５−ｃのための最大送信電力、ランダムアクセス要求に関連付けられた最大送信電力など）に達するか、または繰返しレベルに関連付けられたランダムアクセス要求の最大構成数に達するまで、デバイスは、各連続ＰＲＡＣＨプリアンブル（およびその任意の冗長送信）が、前のランダムアクセス要求（およびその任意の冗長送信）よりも高い電力で送信されるように、各ランダムアクセス要求とともに送信電力を増加させることができる。ランダムアクセス要求手順においてデバイスが行うランダムアクセス要求の全体的数、および／または許容されるランダムアクセス要求の総数は、変わり得る。
【００４３】
[0054]  様々な例において、初期送信電力、電力ランプアップの量、ランダムアクセス要求の数、および／またはランダムアクセス要求のための冗長送信の数は、繰返しレベルのリソースセットの部分と見なされ得る。連続する繰返しレベルは、ＰＲＡＣＨ送信に利用可能なリソースセットの側面において、一様な増加を有し得る。いくつかの例において、リソースセットの増加は、初期送信電力の変化、電力ランプアップの量の変化、ランダムアクセス要求の数の変化、および／または冗長送信の数の変化の間で割り振られ得る。リソースセット中のリソースの割振りは、初期送信電力、最終送信電力または前の繰返しレベルの繰返し数、チャネル状態などに基づき得る。さらに、いくつかの例において、送信電力は、繰返しレベル内での連続ランダムアクセス要求のために増加され得る。
【００４４】
[0055]  いくつかの例において、繰返しレベルの冗長送信の数が、繰返しレベルに関連付けられた閾値を超える場合、ランダムアクセス要求のための送信電力は、最大送信電力に設定され得る。たとえば、ネットワーク構成は、第１、第２、および第３の繰返しレベルについて、それぞれ、５、１０、および１５の繰返しに関連付けられる場合があり、ネットワーク構成は、最大送信電力を第３の繰返しレベルに関連付けてよい。ＵＥは、一方、繰返しレベルが８以上の繰返しに関連付けられているときはいつでも、最大送信電力を使うように構成されてよい。したがって、本例によると、ＵＥは、ネットワーク構成が第３の繰返しレベルでの最大送信電力のみに関連付けられているのにもかかわらず、第２および第３の繰返しレベルの両方において、最大送信電力でランダムアクセス要求を送信することができる。いくつかの例において、デバイスは、バックオフ設定（backoff setting）に達する前に、ランダムアクセス要求の全体的最大数に制限される場合がある。追加または代替として、デバイスは、ランダムアクセス応答を受信するまで、（たとえば、後続ランダムアクセス要求手順において、など）ランダムアクセス繰返しレベルを通して進行を繰り返すように構成可能であってよい。
【００４５】
[0056]  チャネル繰返し（channel repetition）、繰返しレベルランプアップ（repetition level ramp-up）、および送信電力ランプアップを含む繰返しレベルカバレージ拡張技法は、ＭＴＣデバイスとともに用いられ得るが、他のタイプのデバイスも同様に、そのような技法を利用し得るか、またはそのような技法から利益を享受し得る。したがって、説明する繰返しレベルカバレージ拡張技法がＭＴＣアプリケーションに限定されないことを、当業者は認識されよう。
【００４６】
[0057]  以下の説明は、例を与えるものであり、特許請求の範囲に記載される範囲、適用性、または例を限定するものではない。本開示の範囲から逸脱することなく、説明される要素の機能および構成に変更が行われ得る。様々な例は、適宜に、様々な手順または構成要素を、省略、置換、または追加し得る。たとえば、シナリオは、ＭＴＣデバイスに関して説明されるが、本明細書において説明される技法は、様々な他のタイプのワイヤレス通信デバイスおよびシステムとともに使われてよい。さらに、説明される方法は、説明される順序とは異なる順序で実行され得、様々なステップが追加、省略、または組み合わされ得る。また、いくつかの例に関して説明される特徴は、他の例において組み合わされ得る。
【００４７】
[0058]  図１は、本開示の態様による、繰返しレベルカバレージ拡張技法が利用され得るワイヤレス通信システム１００の例を示す。ワイヤレス通信システム１００は、基地局１０５と、少なくとも１つのユーザ機器（ＵＥ）１１５と、コアネットワーク（core network）１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク（backhaul link）１３２（たとえば、Ｓ１など）を通してコアネットワーク１３０とインターフェースする。基地局１０５は、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して互いと直接または間接的に（たとえば、コアネットワーク１３０を通して）通信し得る。ＵＥは、上述したＭＴＣデバイスであってよい。
【００４８】
[0059]  基地局１０５は、１つまたは複数の基地局アンテナを介してＵＥ１１５とワイヤレスに通信することができる。基地局１０５の各々は、それぞれの地理的カバレージエリア１１０に通信カバレージを与え得る。いくつかの例では、基地局１０５は、基地トランシーバ局、無線基地局、アクセスポイント、無線トランシーバ、ノード（node）Ｂ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロセル基地局またはスモールセル基地局）を含み得る。異なる技術のための重複する地理的カバレージエリア１１０があり得る。
【００４９】
[0060]  いくつかの例では、ワイヤレス通信システム１００はロングタームエボリューション（ＬＴＥ）／ＬＴＥアドバンスト（ＬＴＥ−Ａ）ネットワークである。ＬＴＥ／ＬＴＥ−Ａネットワークでは、発展型ノードＢ（ｅＮＢ）という用語は、概して、基地局１０５を表すために使用され得、ＵＥという用語は、概して、ＵＥ１１５を表すために使用され得る。ワイヤレス通信システム１００は、異なるタイプのｅＮＢが様々な地理的領域にカバレージを提供する異種ＬＴＥ／ＬＴＥ−Ａネットワークであり得る。たとえば、各ｅＮＢまたは基地局１０５は、マクロセル、スモールセル、または他のタイプのセルに通信カバレージを提供し得る。「セル（cell）」という用語は、コンテキストに応じて、基地局、基地局に関連付けられるキャリアもしくはコンポーネントキャリア、またはキャリアもしくは基地局のカバレージエリア（たとえば、セクタなど）を表すために使用され得る。
【００５０】
[0061]  マクロセルは、一般に、比較的大きい地理的エリア（たとえば、半径数キロメートル）をカバーし、ネットワークプロバイダのサービスに加入しているＵＥ１１５による無制限アクセスを可能にし得る。スモールセルは、マクロセルと比較して、マクロセルと同じまたは異なる（たとえば、認可、無認可などの）周波数帯域内で動作し得る低電力基地局である。スモールセルは、様々な例によると、ピコセルと、フェムトセルと、マイクロセルとを含み得る。ピコセルは、たとえば、小さい地理的エリアをカバーし得、ネットワークプロバイダのサービスに加入しているＵＥ１１５による無制限アクセスを可能にし得る。フェムトセルも、小さい地理的エリア（たとえば、自宅）をカバーし得、フェムトセルとの関連付けを有するＵＥ１１５（たとえば、限定加入者グループ（ＣＳＧ：closed subscriber group）内のＵＥ１１５、自宅内のユーザのためのＵＥ１１５など）による制限付きアクセスを与え得る。マクロセルのためのｅＮＢは、マクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数（たとえば、２つ、３つ、４つなど）のセル（たとえば、コンポーネントキャリア）をサポートし得る。
【００５１】
[0062]  ワイヤレス通信システム１００は、同期動作または非同期動作をサポートし得る。同期動作の場合、基地局１０５は同様のフレームタイミングを有することがあり、異なる基地局１０５からの送信は時間的に概ね整合されることがある。非同期動作の場合、基地局１０５は異なるフレームタイミングを有し得、異なる基地局１０５からの送信は時間的に整合されないことがある。本明細書で説明される技法は、同期動作または非同期動作のいずれかのために使用され得る。
【００５２】
[0063]  様々な開示する例のうちのいくつかに適応し得る通信ネットワークは、階層化プロトコルスタックに従って動作するパケットベースネットワークであり得、ユーザプレーン中のデータは、ＩＰに基づき得る。無線リンク制御（ＲＬＣ：radio link control）レイヤは、論理チャネルを介して通信するために、パケットセグメンテーションとリアセンブリとを実行することができる。媒体アクセス制御（ＭＡＣ：medium access control）レイヤが、優先度処理と、トランスポートチャネルへの論理チャネルの多重化とを実行し得る。ＭＡＣレイヤはまた、リンク効率を改善するためにＭＡＣレイヤにおいて再送信を行うためにハイブリッド自動再送要求（ＨＡＲＱ）を使用し得る。制御プレーンでは、無線リソース制御（ＲＲＣ：radio resource control）プロトコルレイヤは、ＵＥ１１５と基地局１０５との間のＲＲＣ接続の確立と構成と維持とを行い得る。ＲＲＣプロトコルレイヤはまた、ユーザプレーンデータのための無線ベアラ（radio bearer）のコアネットワーク１３０サポートのために使用され得る。物理（ＰＨＹ）レイヤにおいて、トランスポートチャネルは物理チャネルにマップされ得る。
【００５３】
[0064]  ＵＥ１１５は、ワイヤレス通信システム１００全体にわたって分散される場合があり、各ＵＥ１１５は固定またはモバイルであり得る。上述したように、ＵＥはＭＴＣデバイスであってよいが、本明細書において説明される技法は、様々なＵＥによって使われ得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語を含むか、またはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することができる場合がある。
【００５４】
[0065]  いくつかのタイプのＵＥが、自動化された通信を提供し得る。自動化されたワイヤレス通信デバイスは、ＭＴＣ通信またはＭ２Ｍ通信を実装するものを含み得る。ＭＴＣは、デバイスが人間の介入なしに互いとまたは基地局と通信することを可能にするデータ通信技術を指すことがある。たとえば、ＭＴＣは、情報を測定またはキャプチャするためにセンサーまたはメーターを組み込み、その情報を利用すること、またはプログラムもしくはアプリケーションと対話する人間にその情報を提示することができる中央サーバまたはアプリケーションプログラムへ、その情報を中継するデバイスからの通信を指すことがある。述べたように、いくつかのＵＥ１１５は、情報を収集するか、または機械の自動化された挙動を可能にするように設計されたＭＴＣデバイスなどのＭＴＣデバイスであり得る。ＭＴＣデバイスに関する適用例としては、スマートメータリング、インベントリモニタリング、水位モニタリング、機器モニタリング、ヘルスケアモニタリング、野生生物モニタリング、天候および地質学的事象モニタリング、フリート管理および追跡、リモートセキュリティ検知、物理的アクセス制御、ならびにトランザクションベースのビジネス課金がある。ＭＴＣデバイスは、低減されたピークレートにおいて半二重（一方向）通信を使用して動作し得る。ＭＴＣデバイスはまた、アクティブ通信に参加していないとき、電力節約モード（たとえば、「ディープスリープ（deep sleep）」モードなど）に入るように構成され得る。場合によっては、ＭＴＣデバイスは、電力節約モード間隔（power saving mode interval）と交互になる通常の送信間隔のために構成され得る。
【００５５】
[0066]  ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。ダウンリンク送信は順方向リンク送信と呼ばれることもあり、ＵＬ送信は逆方向リンク送信と呼ばれることもある。各通信リンク１２５は、１つまたは複数のキャリアを含み得、ここで、各キャリアは、上記で説明された様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数分割複信（ＦＤＤ：frequency division duplex）動作を使用して（たとえば、対スペクトルリソース（paired spectrum resource）を使用して）または時分割複信（ＴＤＤ：time division duplex）動作を使用して（たとえば、不対スペクトルリソース（unpaired spectrum resource）を使用して）双方向通信を送信し得る。ＦＤＤ（たとえば、フレーム構造タイプ１）およびＴＤＤ（たとえば、フレーム構造タイプ２）について、フレーム構造が定義される場合がある。
【００５６】
[0067]  ワイヤレス通信システム１００のいくつかの実施形態では、基地局１０５またはＵＥ１１５は、基地局１０５とＵＥ１１５との間の通信品質と信頼性とを改善するために、アンテナダイバーシティ方式を採用するための複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ：multiple input multiple output）技法を採用し得る。
【００５７】
[0068]  ワイヤレス通信システム１００は、複数のセルまたはキャリア上での動作、すなわち、キャリアアグリゲーション（ＣＡ：carrier aggregation）またはマルチキャリア動作と呼ばれることがある特徴をサポートし得る。キャリアは、コンポーネントキャリア（ＣＣ：component carrier）、レイヤ、チャネルなどと呼ばれる場合もある。「キャリア」、「コンポーネントキャリア」、「セル」、および「チャネル」という用語は、本明細書では互換的に使用されることがある。ＵＥ１１５は、キャリアアグリゲーションのために、複数のダウンリンクＣＣと１つまたは複数のＵＬ  ＣＣとで構成され得る。キャリアアグリゲーションは、ＦＤＤコンポーネントキャリアとＴＤＤコンポーネントキャリアの両方とともに使用され得る。
【００５８】
[0069]  ＬＴＥシステムは、ＤＬ上では直交周波数分割多元接続（ＯＦＤＭＡ）を利用し得、ＵＬ上ではシングルキャリア周波数分割多元接続（ＳＣ−ＦＤＭＡ）を利用し得る。ＯＦＤＭＡおよびＳＣ−ＦＤＭＡは、システム帯域幅を、一般にトーンまたはビンとも呼ばれる複数（Ｋ）個の直交サブキャリアに区分する。各サブキャリアはデータで変調され得る。隣接するサブキャリア間の間隔は固定であり得、サブキャリアの総数（Ｋ）はシステム帯域幅に依存し得る。たとえば、Ｋは、それぞれ、１．４、３、５、１０、１５、または２０メガヘルツ（ＭＨｚ）の（ガードバンドをもつ）対応するシステム帯域幅に対して、１５キロヘルツ（ＫＨｚ）のサブキャリア間隔の場合、７２、１８０、３００、６００、９００、または１２００に等しくなり得る。システム帯域幅はまた、サブバンドに区分され得る。たとえば、サブバンドは１．０８ＭＨｚをカバーすることができ、１個、２個、４個、８個、または１６個のサブバンドがあり得る。
【００５９】
[0070]  ＬＴＥにおける時間間隔は、基本時間単位（たとえば、サンプリング周期、Ｔｓ＝１／３０，７２０，０００秒）の倍数単位で表され得る。時間リソースは、０から１０２３にわたるシステムフレーム番号（ＳＦＮ：system frame number）によって識別され得る、１０ｍｓの長さの無線フレーム（Ｔｆ＝３０７２００・Ｔｓ）に従って編成され得る。各フレームは、０から９までの番号を付けられた１０個の１ｍｓサブフレームを含み得る。サブフレームは、さらに２つの０．５ｍｓスロットに分割される場合があり、その各々は、（各シンボルにプリペンドされたサイクリックプレフィックス（cyclic prefix）の長さに応じて）６つまたは７つの変調シンボル期間を含んでいる。サイクリックプレフィックスを除いて、各シンボルは２０４８個のサンプル期間を含んでいる。場合によっては、サブフレームは、送信時間間隔（ＴＴＩ）としても知られる、最小のスケジューリングユニットであり得る。他の場合には、ＴＴＩはサブフレームよりも短くてもよく、または（たとえば、短いＴＴＩバースト中で、または短いＴＴＩを使用する選択されたコンポーネントキャリア中で）動的に選択されてもよい。
【００６０】
[0071]  データは、論理チャネルと、トランスポートチャネルと、物理レイヤチャネルとに分割され得る。チャネルはまた、制御チャネルとトラフィックチャネルとに分類され得る。論理制御チャネルには、ページング情報のためのページング制御チャネル（ＰＣＣＨ：paging control channel）、ブロードキャストシステム制御情報のためのブロードキャスト制御チャネル（ＢＣＣＨ：broadcast control channel）、マルチメディアブロードキャストマルチキャストサービス（ＭＢＭＳ：multimedia broadcast multicast service）スケジューリングおよび制御情報を送信するためのマルチキャスト制御チャネル（ＭＣＣＨ：multicast control channel）、専用制御情報を送信するための専用制御チャネル（ＤＣＣＨ：dedicated traffic channel）、ランダムアクセス情報のための共通制御チャネル（ＣＣＣＨ：）、専用ＵＥデータのための専用トラフィックチャネル（ＤＴＣＨ：dedicated traffic channel）、ならびにマルチキャストデータのためのマルチキャストトラフィックチャネル（ＭＴＣＨ：multicast traffic channel）が含まれ得る。ＤＬトランスポートチャネルは、ブロードキャスト情報のためのブロードキャストチャネル（ＢＣＨ）と、データ転送のためのダウンリンク共有チャネル（ＤＬ−ＳＣＨ）と、ページング情報のためのページングチャネル（ＰＣＨ）と、マルチキャスト送信のためのマルチキャストチャネル（ＭＣＨ）とを含み得る。ＵＬトランスポートチャネルは、アクセスのためのランダムアクセスチャネル（ＲＡＣＨ：random access channel）と、データのためのＵＬ共有チャネル（ＵＬ−ＳＣＨ）とを含み得る。ＤＬ物理チャネルは、ブロードキャスト情報のための物理ブロードキャストチャネル（ＰＢＣＨ：physical broadcast channel）と、制御フォーマット情報のための物理制御フォーマットインジケータチャネル（ＰＣＦＩＣＨ： physical HARQ indicator channel）と、制御およびスケジューリング情報のための物理ダウンリンク制御チャネル（ＰＤＣＣＨ：physical downlink control channel）と、ＨＡＲＱ状態メッセージのための物理ＨＡＲＱインジケータチャネル（ＰＨＩＣＨ：physical HARQ indicator channel）と、ユーザデータのための物理ダウンリンク共有チャネル（ＰＤＳＣＨ：physical downlink shared channel）と、マルチキャストデータのための物理マルチキャストチャネル（ＰＭＣＨ：physical multicast channel）とを含み得る。ＵＬ物理チャネルは、アクセスメッセージのための物理ランダムアクセスチャネル（ＰＲＡＣＨ）と、制御データのためのＰＵＣＣＨと、ユーザデータのための物理ＵＬ共有チャネル（ＰＵＳＣＨ：physical UL shared channel）とを含み得る。
【００６１】
[0072]  場合によっては、ＴＴＩ（たとえば、１ｍｓ、すなわち、ＬＴＥベースのプロトコルによる１つのサブフレームの同等物）は、基地局１０５がＵＬ送信またはＤＬ送信のためにＵＥ１１５をスケジュールし得る最小時間単位として定義され得る。たとえば、ＵＥ１１５がＤＬデータを受信している場合、各１ｍｓ間隔の間、基地局１０５は、リソースを割り当て、ＵＥ１１５に向けられたＤＬデータを復号すべき場所をＵＥ１１５に（ＰＤＣＣＨ送信を介して）示すことができる。いくつかの例において、ＴＴＩバンドリングは、比較的劣悪な無線状態にあるか、あるいはＭＴＣデバイスが比較的狭い帯域幅を使って動作し得る展開にあるか、または地下もしくは建物内の深部など、カバレージ限定ロケーションにある通信リンク１２５を改善するのに使われ得る。ＴＴＩバンドリングは、冗長コピーを送信する前にデータが受信されなかったことを示すフィードバックを待つのではなく、連続するまたは連続しないサブフレーム（ＴＴＩ）のグループにおいて同じ情報の複数の冗長コピーを送ることを含み得る。
【００６２】
[0073]  本開示の態様によると、ＵＥ１１５などのワイヤレス通信デバイスは、１つまたは複数の繰返しレベルに従ってランダムアクセス要求手順を実行するように構成され得る。繰返しレベルは各々、ランダムアクセス要求の数および／または各ランダムアクセス要求のための冗長送信の数に関連付けられ得る。繰返しレベル構成に従ってランダムアクセス要求手順を実行する間、デバイスは、繰返しレベルのための初期送信電力、繰返しレベルのための送信電力ステップサイズ、および／または繰返しレベルのための最大送信電力（たとえば、デバイスのための最大アップリンク送信電力、ランダムアクセス要求に関連付けられた最大送信電力など）など、ランダムアクセス要求を送信するための１つまたは複数の送信電力パラメータを決定することができる。送信電力パラメータは、デバイスにローカルに記憶された、ならびに／または構成パラメータおよび／もしくは測定されたチャネル特性に基づいてデバイスにおいて決定された構成メッセージにより、別のデバイス（たとえば、基地局）から受信され得る。デバイスは、ランダムアクセス応答が受信されるまで、１つまたは複数の繰返しレベルでの決定された送信電力パラメータに従ってランダムアクセス要求を送信することによって、ランダムアクセス要求手順を実行することができる。
【００６３】
[0074]  図２は、本開示の態様による、繰返しレベルカバレージ拡張技法が利用され得るワイヤレス通信サブシステム２００の例を示す。ワイヤレス通信サブシステム２００は、図１を参照して説明されたＵＥ１１５の例であり得るＵＥ１１５−ａを含み得る。いくつかの例では、ＵＥ１１５はＭＴＣデバイスであり得る。ワイヤレス通信サブシステム２００はまた、図１を参照して上記で説明した基地局１０５の例であり得る基地局１０５−ａを含み得る。基地局１０５−ａは、その地理的カバレージエリア１１０−ａ内のどのＵＥ１１５にも、通信リンク１２５−ａを介して制御情報および／またはデータを送信し得る。たとえば、通信リンク１２５−ａは、ＵＥ１１５−ａと基地局１０５−ａとの間の双方向通信を可能にし得る。
【００６４】
[0075]  ワイヤレス通信サブシステム２００は、異なる機能と異なる通信環境とを有するＵＥ１１５を含み得る。たとえば、ＵＥ１１５−ａは、やはり基地局によってサービスされる他のＵＥ１１５（図示せず）と比較すると、比較的低下した無線容量を有し得る。たとえば、ＵＥ１１５−ａにおける低下した無線容量は、より離れたロケーション、または劣化した無線伝搬状態を有するＵＥ１１５−ａのロケーションなどの結果であり得る。したがって、ＵＥ１１５−ａは、たとえば、ＵＥ１１５−ａが基地局１０５−ａに比較的接近して位置していた場合に使われるカバレージ拡張レベルとは異なるカバレージ拡張レベルから利益を受け得る。
【００６５】
[0076]  いくつかの例において、通信リンク１２５−ａは、ＰＲＡＣＨを介して送信されるランダムアクセス要求手順によりＵＥ１１５−ａと基地局１０５−ａとの間で確立され得る。たとえば、ＵＥ１１５−ａは、ＲＲＣアイドルモードからＲＲＣ接続モードに移行するとき、ランダムアクセス要求手順を始動することができ、この移行は、ＵＥ１１５−ａと基地局１０５−ａとの間で送信するためのデータの存在と一致し得る。ランダムアクセス要求手順は、ランダムアクセスプリアンブル（random access preamble）（たとえば、ＬＴＥベースのプロトコルによるＺａｄｏｆｆ−Ｃｈｕ（ＺＣ）シーケンスを含み得るＰＲＡＣＨプリアンブルなど）中のデータビットのシーケンスを含み得る。ランダムアクセスプリアンブルは、たとえば、ルートＺＣシーケンスに基づいて決定され得る。いくつかの例において、通信リンク１２５−ａは、基地局１０５−ａによって送信されるとともにＵＥ１１５−ａによって受信されるランダムアクセス応答に少なくとも部分的に基づいて、ＵＥ１１５−ａと基地局１０５−ａとの間で確立され得る。
【００６６】
[0077]  図３は、本開示の態様による、基地局１０５−ａとの通信リンク１２５−ａを確立するために、ＵＥ１１５−ａによって実行され得るランダムアクセス要求手順３１０の図３００である。ランダムアクセス要求手順３１０は、繰返しレベルに従って各々が実行され得る１つまたは複数のランダムアクセス要求シーケンス３２０を含み得る。たとえば、ランダムアクセス要求手順３１０は、第１の繰返しレベルに従って実行される第１のランダムアクセス要求シーケンス３２０−ａと、第２の繰返しレベルに従って実行される第２のランダムアクセス要求シーケンス３２０−ｂと、第３の繰返しレベルに従って実行される第３のランダムアクセス要求シーケンス３２０−ｃと、第４の繰返しレベルに従って実行される第４のランダムアクセス要求シーケンス３２０−ｄとを含み得る。様々な例において、ＵＥ１１５−ａは、各ランダムアクセス要求シーケンス３２０中で送信されるべきランダムアクセス要求３３０の数（たとえば、繰返しレベルに対するランダムアクセス要求の最大数）を識別し、それに従って、ＵＥ１１５−ａによってランダムアクセス応答が受信されるまで、ランダムアクセス要求シーケンス３２０（たとえば、関連付けられたランダムアクセス要求送信３４０の送信）を実行することができる。ＰＲＡＣＨ送信のバンドリングを提供する例では、プリアンブル送信の複数の冗長バージョン（たとえば、冗長送信３４０）が、ランダムアクセス要求３３０のための繰返しレベルに基づいて送信され得る。ランダムアクセス要求シーケンス３２０に応答して、基地局１０５−ａからのいかなるランダムアクセス応答もＵＥ１１５−ａによって受信されない場合、ランダムアクセス手順３１０は、本明細書において説明されるように、より高い繰返しレベルで進んでよい。
【００６７】
[0078]  ランダムアクセス要求送信３４０の各々は、図３００によって示されるように、特定のアップリンク送信電力（uplink transmit power）で実行され得る。特定のランダムアクセス要求送信３４０のためのアップリンク送信電力は、様々な送信電力パラメータから、ＵＥ１１５−ａによって決定され得る。いくつかの例において、別個の送信電力パラメータが、それぞれの繰返しレベルに関連付けられてよく、ＵＥ１１５−ａ用に事前構成され、および／またはＵＥ１１５−ａによって構成メッセージ中で受信されてよい。ランダムアクセス要求送信３４０のためのアップリンク送信電力は、本明細書において説明されるように、ＵＥ１１５−ａにおいて測定されたチャネル状態、先行ランダムアクセス要求３３０の送信電力などのような、他のパラメータにさらに基づき得る。
【００６８】
[0079]  第１のランダムアクセス要求シーケンス３２０−ａは、第１の繰返しレベルに従ってＵＥ１１５−ａによって実行されてよく、第１の繰返しレベルは、ＵＥ１１５−ａによって、ランダムアクセス要求手順３１０のための初期繰返しレベルとして識別され得る。第１の繰返しレベルは、複数の繰返しレベルからＵＥ１１５−ａによって識別されてよく、識別は、いくつかの例では、最も低い繰返しレベルを選択すること、チャネル状態に基づく繰返しレベルを選択すること、選択、通信リンク１２５の前の状態に基づく繰返しレベルなどに基づき得る。たとえば、チャネル状態は、基準信号受信電力（ＲＳＲＰreference signal received power）測定および／または算出に基づいて決定されてよく、ＲＳＲＰは様々な閾値と比較され得る。閾値は、ランダムアクセス要求のためのカバレージ拡張レベルを決定するために、ＵＥ１１５−ａにおいて記憶されるか、またはＵＥ１１５−ａに（たとえば、基地局１０５−ａなどによって）シグナリングされてよい。様々な例において、繰返しレベルはリソースセットに関連付けられてよく、リソースセットは、そのようなパラメータを、ランダムアクセス要求の数、冗長送信の数、初期送信電力、送信電力ステップサイズなどとして含み得る。
【００６９】
[0080]  ランダムアクセス要求手順３１０によって示されるように、第１の繰返しレベルは、２つのランダムアクセス要求３３０（たとえば、ランダムアクセス要求３３０−ａおよび３３０−ｂ）に関連付けられ得る。さらに、第１の繰返しレベルに従って、ランダムアクセス要求３３０−ａおよび３３０−ｂの各々が、単一のランダムアクセス要求送信３４０（たとえば、それぞれ、ランダムアクセス要求送信３４０−ａ−１および３４０−ｂ−１）を介して実行され得る。したがって、いくつかの例において、繰返しレベルは、冗長ランダムアクセス要求送信３４０を利用しない（たとえば、ゼロカバレージ拡張レベル、ゼロ繰返しレベルなど）ランダムアクセス要求３３０に関連付けられ得る。
【００７０】
[0081]  第１のランダムアクセス要求シーケンス３２０−ａの第１のランダムアクセス要求３３０−ａは、第１の送信電力で実行され得る。第１のランダムアクセス要求シーケンス３２０−ａの第１の送信電力は、第１の繰返しレベルに関連付けられた１つまたは複数の送信電力パラメータに基づいて決定され得る。様々な例において、送信電力パラメータは、ＵＥ１１５−ａによって受信された構成パラメータ（たとえば、基地局１０５−ａからＵＥ１１５−ａによって受信された構成メッセージなど）、および／またはＵＥ１１５−ａにおいて記憶されている構成パラメータを含み得る。いくつかの例において、送信電力パラメータは、ＵＥ１１５−ａによって受信された信号から決定されたチャネル状態（たとえば、ダウンリンク信号の測定値、ダウンリンク信号中のチャネル状態メッセージなど）、およびまたはＵＥ１１５−ａの最大アップリンク送信電力に基づき得る。
【００７１】
[0082]  第１のランダムアクセス要求シーケンス３２０−ａの第２のランダムアクセス要求３３０−ｂは、第１のアップリンク送信電力とは異なる第２の送信電力で実行され得る。たとえば、第２の送信電力は、第１の送信電力に送信電力ステップサイズ３２５−ａを加えることによって算出され得る。送信電力ステップサイズ３２５−ａは、第１の繰返しレベルに関連付けられてよく、いくつかの例では、第１の繰返しレベルに関連付けられた送信電力パラメータ中に含まれてよい。いくつかの例において、送信電力ステップサイズ３２５−ａは、無線周波数チャネル状態、ランダムアクセス要求シーケンス３２０のランダムアクセス要求３３０の数などのような、他のパラメータにさらに基づき得る。
【００７２】
[0083]  ＵＥ１１５−ａが、（たとえば、ランダムアクセス要求３３０−ａまたは３３０−ｂに続く）第１のランダムアクセス要求シーケンス３２０−ａの送信３４０のうちの１つまたは複数に応答して、基地局１０５−ａからランダムアクセス応答を受信しない場合、ランダムアクセス要求手順３１０は、第２のランダムアクセス要求シーケンス３２０−ｂを進めてよい。たとえば、ＵＥ１１５−ａは第２の繰返しレベルを識別することができ、このレベルは、第１の繰返しレベルに対するカバレージ拡張に関連付けられ得る。いくつかの例において、第２の繰返しレベルの識別は、リソースセット中の１つまたは複数の所定の増分に関連付けられた、先行繰返しレベルからの、事前構成された増分であり得る。いくつかの例において、第２の繰返しレベルの識別は、第１のランダムアクセス要求シーケンス３２０−ａに関連付けられたパラメータに少なくとも部分的に基づき得る。たとえば、第２のランダムアクセス要求シーケンス３２０−ｂは、第１のランダムアクセス要求シーケンス３２０−ａの各ランダムアクセス要求３３０のための単一のランダムアクセス要求送信３４０と比較して、第２のランダムアクセス要求シーケンス３２０−ｂ中の各ランダムアクセス要求３３０のための２つのランダムアクセス要求送信３４０に関連付けられ得る。
【００７３】
[0084]  いくつかの例において、所与の繰返しレベルのための送信電力パラメータは、繰返しレベルのための初期送信電力を含んでよく、初期送信電力は、所与の繰返しレベル、前の繰返しレベル、前の繰返しレベルの送信電力、またはそれらの任意の組合せに少なくとも部分的に基づいて決定され得る。たとえば、繰返しレベルｊのための初期送信電力を決定するために、繰返しレベルｊのパラメータを用いる、繰返しレベルｉのパラメータの様々な算出または比較が行われ得る（たとえば、ｒj−ｒi、ｒj／ｒi、ｌｏｇ（ｒj／ｒi）などのような関係を適用し、ここでｒiおよびｒjは、それぞれ、繰返しレベルｉおよび繰返しレベルｊのパラメータを表す。）。たとえば、繰返しレベルｊに関連付けられた初期送信電力は、Ｇj,i−１０・ｌｏｇ（ＲＲj,i）だけ調節された繰返しレベルｉでの最終送信電力として（ｄＢｍで）決定されてもよく、ここでＧj,iは、繰返しレベルｉと繰返しレベルｊとの間の（ｄＢでの）所望のカバレージ拡張ステップであり、ＲＲj,iは、繰返しレベルｉと繰返しレベルｊとの間の冗長送信の比である。いくつかの例において、繰返しレベルの間のカバレージ拡張ステップＧj,iは、繰返しレベルｉまたは繰返しレベルｊに関連付けられた送信電力ステップサイズと同じであり得る。追加または代替として、繰返しレベルの間のカバレージ拡張ステップＧj,iは、ＵＥ１１５−ａにおいて受信された信号から決定されたチャネル状態（たとえば、ＲＳＲＰなど）に基づいて決定され得る。ランダムアクセス手順３１０によって示されるように、ＵＥ１１５−ａは、第２のランダムアクセス要求シーケンス３２０−ｂの第１のランダムアクセス要求３３０−ｃのための送信電力は、第１のランダムアクセス要求シーケンス３２０−ａの最終ランダムアクセス要求３３０−ｂの送信電力よりも高いべきであると決定し得る。
【００７４】
[0085]  第１のランダムアクセス要求３３０−ｃに続いて、第２のランダムアクセス要求シーケンス３２０−ｂの後続ランダムアクセス要求３３０が、増加する送信電力レベルで送信され得る。たとえば、第２のランダムアクセス要求シーケンス３２０−ｂの第２のランダムアクセス要求３３０−ｄおよび第３のランダムアクセス要求３３０−ｅのための送信電力は、送信電力ステップサイズ３２５−ｂだけ増加され得る。送信電力ステップサイズ３２５−ｂは、送信電力ステップサイズ３２５−ａに関して前に説明したように（たとえば、送信電力パラメータから、繰返しレベルに基づいて、チャネル状態に基づいて、など）決定され得る。
【００７５】
[0086]  ＵＥ１１５−ａが、第２のランダムアクセス要求シーケンス３２０−ｂのランダムアクセス要求３３０のうちの１つに応答してランダムアクセス応答を受信しない場合、ランダムアクセス要求手順３１０は、第３のランダムアクセス要求シーケンス３２０−ｃを進めてよい。たとえば、ＵＥ１１５−ａは、増加した数の冗長送信に関連付けられた繰返しレベル（たとえば、第３のランダムアクセス要求シーケンス３２０−ｃ中の各ランダムアクセス要求３３０に対する４つのランダムアクセス要求送信３４０）を再度識別してよい。
【００７６】
[0087]  第３のランダムアクセス要求シーケンス３２０−ｃに示されるように、ＵＥ１１５−ａは、第３のランダムアクセス要求シーケンス３２０−ｃの第１のランダムアクセス要求３３０−ｆのための送信電力が、第１のランダムアクセス要求シーケンス３２０−ａの最終ランダムアクセス要求３３０−ｅのための送信電力よりも低いべきであると決定し得る。他の例では、ＵＥ１１５−ａは、第３のランダムアクセス要求シーケンス３２０−ｃの第１のランダムアクセス要求３３０−ｆのための送信電力が、第１のランダムアクセス要求シーケンス３２０−ａの最終ランダムアクセス要求３３０−ｅのための送信電力と等しいべきであると決定し得る（図示せず）。
【００７７】
[0088]  第３のランダムアクセス要求シーケンス３２０−ｃの第１のランダムアクセス要求３３０−ｆに続いて、第３のランダムアクセス要求シーケンス３２０−ｃの後続ランダムアクセス要求３３０が、増加する送信電力レベルで送信され得る。たとえば、第３のランダムアクセス要求シーケンス３２０−ｃの第２のランダムアクセス要求３３０−ｇのための送信電力は、送信電力ステップサイズ３２５−ｃだけ増加され得る。第３のランダムアクセス要求３３０−ｈに関して、ＵＥ１１５−ａは、第２のランダムアクセス要求３３０−ｇによって使われる送信電力に送信電力ステップサイズ３２５−ｃを加えると、最大送信電力３５０を超え得ると決定し得る。様々な例において、最大送信電力３５０は、ＵＥ１１５−ａのための最大送信電力またはランダムアクセス要求に関連付けられた最大送信電力であってよい。したがって、ＵＥ１１５−ａは、第３のランダムアクセス要求３３０−ｈのための送信電力を、最大送信電力３５０に等しく設定すればよい。
【００７８】
[0089]  ＵＥ１１５−ａが、第３のランダムアクセス要求シーケンス３２０−ｃのランダムアクセス要求３３０に応答して、基地局１０５−ａからランダムアクセス応答を受信しない場合、ランダムアクセス要求手順３１０は、第４のランダムアクセス要求シーケンス３２０−ｄを進めればよい。たとえば、ＵＥ１１５−ａは、増加した数の冗長送信に関連付けられた繰返しレベル（たとえば、第４のランダムアクセス要求シーケンス３２０−ｄ中の各ランダムアクセス要求３３０のための６つのランダムアクセス要求送信３４０）を再度識別し得る。いくつかの例において、第４の繰返しレベルは、ＵＥ１１５−ａ用に構成される、および／または許容される、最も高い繰返しレベルであり得る。
【００７９】
[0090]  第４のランダムアクセス要求シーケンス３２０−ｃに示されるように、ＵＥ１１５−ａは、第３のランダムアクセス要求シーケンス３２０−ｃの第１のランダムアクセス要求３３０−ｆのための送信電力が、最大送信電力３５０に設定されるべきであると決定し得る。いくつかの例において、ランダムアクセス要求３３０−ｉのための送信電力を最大送信電力３５０に設定するという決定は、第４の繰返しレベルが最も高い繰返しレベルであるということに基づいて行われ得る。いくつかの例において、アップリンク送信電力を最大送信電力３５０に設定するという決定は、第４のランダムアクセス要求シーケンス３２０−ｄ用に決定された送信電力パラメータに基づいてよく、この決定は、各ランダムアクセス要求３３０のための冗長ランダムアクセス要求送信３４０の数（たとえば、６）が閾値を超えることに基づく。いくつかの例において、決定は、第４のランダムアクセス要求シーケンス３２０−ｄの第１のランダムアクセス要求３３０−ｉの送信電力を、先行ランダムアクセス要求シーケンス３２０−ｃの最終ランダムアクセス要求３３０−ｈの送信電力に等しく設定することに基づいて行われ得る。様々な例において、ランダムアクセス要求シーケンス３２０のランダムアクセス要求３３０のための最大送信電力３５０（または他の任意の非増分アップリンク送信電力）を選択することには、ゼロに等しい送信電力ステップサイズを設定することが伴い得る。
【００８０】
[0091]  第１のランダムアクセス要求３３０−ｉに続いて、第４のランダムアクセス要求シーケンス３２０−ｄの後続ランダムアクセス要求３３０は、最大送信電力で送信され続けるであってよい。様々な例において、ランダムアクセス要求３３０は、ＵＥ１１５−ａによってランダムアクセス応答が受信されるまで続いてよく、またはランダムアクセス要求手順３１０は、ランダムアクセス要求シーケンス３２０の閾数、ランダムアクセス要求３３０の閾数、ランダムアクセス要求送信３４０の閾数、またはそれらの任意の組合せに達すると終了してよい。ランダムアクセス要求手順３１０が不成功の場合、ＵＥ１１５−ａは新たなランダムアクセス要求手順３１０を試みてよいが、この手順は、いくつかの例では、事前構成された時間量だけ遅延され得る。ランダムアクセス手順３１０が（たとえば、ランダムアクセス応答の受信に続いて）成功したとき、図２の通信リンク１２５−ａなどの通信リンクが確立され得る。
【００８１】
[0092]  図４は、本開示の態様による、繰返しレベルカバレージ拡張技法を示すコールフロー図４００の例を示す。コールフロー図４００は、図１または図２を参照して説明されたワイヤレス通信システム１００またはワイヤレス通信サブシステム２００において利用されるカバレージ拡張技法を示し得る。コールフロー図４００は、ＵＥ１１５−ｂと基地局１０５−ｂとを含み、これらは、図１または図２を参照して説明されたＵＥ１１５および基地局１０５の例であり得る。いくつかの例では、ＵＥ１１５−ｂはＭＴＣデバイスであり得る。コールフロー図４００は、競合ベースのランダムアクセス要求手順の例であり得る。たとえば、コールフロー図４００は、ＵＥ１１５−ｂがＲＲＣアイドルモードからＲＲＣ接続モードに移行している状況を示し得る。
【００８２】
[0093]  ４０５において、ＵＥ１１５−ｂは、第１のランダムアクセス要求シーケンスのための第１の繰返しレベルを識別し、第１のランダムアクセス要求シーケンスのための１つまたは複数の送信電力パラメータを決定し得る。いくつかの例において、第１の繰返しレベルおよび／または送信電力パラメータは、たとえば、アップリンクまたはダウンリンクチャネルのチャネル状態に基づいて決定され得る。たとえば、ＵＥ１１５−ｂは、基地局１０５−ｂからのＲＳＲＰを測定すればよく、ランダムアクセス要求送信のための第１の繰返しレベルおよび／または１つもしくは複数の送信電力パラメータは、ＲＳＲＰに基づいて決定されてよい。
【００８３】
[0094]  ４１０−ａにおいて、ＵＥ１１５−ｂは、１つまたは複数の送信電力パラメータに従って、初期ランダムアクセス要求（たとえば、ＰＲＡＣＨプリアンブルなど）を送信し得る。たとえば、ＵＥ１１５−ｂによって決定された１つまたは複数の送信パラメータは、第１のランダムアクセス要求シーケンスのための初期送信電力を含み得る。いくつかの例では、初期送信電力は、最大ＵＥ送信電力値、経路損失値（path loss value）、受信信号のＲＳＲＰ、プリアンブルターゲット電力（preamble target power）、またはそれらの任意の組合せの関数となり得る。４１０−ａにおけるランダムアクセス要求の複数の冗長送信は、第１の繰返しレベルがカバレージ拡張目的のために送信のバンドリングを提供するときなど、第１の繰返しレベルに従って送信されてよい。
【００８４】
[0095]  いくつかの例において、第１の繰返しレベルは送信電力ランプアップのために構成されてよく、ランプアップは、第１の送信電力ステップサイズに基づいて、第１の繰返しレベルでの後続ランダムアクセス要求（subsequent random access request）における電力を増加させるために、ＵＥ１１５−ｂによって使われ得る。たとえば、ＵＥ１１５−ｂが、４１０−ａにおける初期ランダムアクセス要求への応答（たとえば、ランダムアクセス応答など）を受信しない場合、ＵＥ１１５−ｂは、後続ランダムアクセス要求を試み、４１０−ｎにおける第Ｎのランダムアクセス要求まで、ランダムアクセス応答が受信されたかどうか決定してよい。
【００８５】
[0096]  いくつかの試み（図４の例ではＮ回の試み）の後、ＵＥ１１５−ｂは、より高い繰返しレベルに切り替えてよい。たとえば、４１５において、ＵＥ１１５−ｂは、第２の繰返しレベルを識別し、第２の繰返しレベルのための１つまたは複数の送信電力パラメータを決定することができる。いくつかの例において、第２の繰返しレベルは、各ランダムアクセス要求のための増加した数の冗長送信を含んでよく、第２の繰返しレベルは、第１の繰返しレベルに相対して、増加した数のランダムアクセス要求も含んでよい。いくつかの例において、第２の繰返しレベルのための送信電力パラメータは、第２の繰返しレベルのための初期送信電力を含んでよく、これは、第１の繰返しレベル、第１の繰返しレベルの送信電力、またはそれらの任意の組合せに少なくとも部分的に基づいて決定され得る。第１の繰返しレベルにおいて送信電力ランプアップが使われる例では、第２の繰返しレベルでの初期試行のための送信電力は、第１の繰返しレベルからの最新の送信電力に基づき得る。
【００８６】
[0097]  いくつかの例において、第１の繰返しレベルでの最終ランダムアクセス要求の送信電力は、最大送信電力（たとえば、ＵＥ１１５−ｃのための最大送信電力、ランダムアクセス要求に関連付けられた最大送信電力など）であってよく、この場合、第２の繰返しレベルでの初期ランダムアクセス要求のための送信電力は、最大送信電力になるように設定されてよい。いくつかの例において、第２の繰返しレベルでの初期ランダムアクセス要求のための送信電力は、前のランダムアクセス試行の失敗に基づいて、最大送信電力として設定され得る。いくつかの例において、第２の繰返しレベルでの初期ランダムアクセス要求のための送信電力は、第１の繰返しレベルでの最終ランダムアクセス要求の送信電力になるように設定されてよく、ランダムアクセス要求の冗長な繰返しの数が増加され得る。なおさらなる例において、第２の繰返しレベルでの初期ランダムアクセス要求のための送信電力は、最新のランダムアクセス試行の電力、第１の繰返しレベルの冗長送信の数、および第２の繰返しレベルの冗長送信の数に応じて決定されてよい。
【００８７】
[0098]  たとえば、第１の繰返しレベルと第２の繰返しレベルとの間で３ｄＢのカバレージ拡張が所望される場合、そのような拡張は、増加した送信電力、増加した数の冗長送信、またはそれらの組合せを通して達成され得る。したがって、この例では、第２の繰返しレベルが、第１の繰返しレベルの２倍の数の、ランダムアクセス要求の冗長送信用に構成される場合、３ｄＢの増加は、第２の繰返しレベルでの追加冗長送信を通して達成され得る。別の例において、第２の繰返しレベルが、第１の繰返しレベルの５倍の数の冗長送信を提供し、３ｄＢの増加が所望される場合、第２の繰返しレベルに関連付けられた送信電力レベルは、−１０＊ｌｏｇ10（５／２）ｄＢだけ調節された、第１の繰返しレベルでの最終送信電力として決定されてもよい。当然ながら、これらの例は、考察および説明のためにのみ与えられるのであって、電力ランプアップステップサイズ（power ramp-up step size）が異なる値であるときは、他の様々な例が適用されてよい。
【００８８】
[0099]  いくつかの例において、繰返しレベルの間および／または繰返しレベル内でのランダムアクセス試行の間の、リソースの実質的に一様な増加が与えられてよく、そのような増加のためのリソースは、電力ランプアップと繰返しレベル増加の組合せから生じ得る。いくつかの例において、第１の繰返しレベルに関連付けられた、繰り返されるランダムアクセス要求の数は２以上であり、第２の繰返しレベルに関連付けられた繰り返されるランダムアクセス要求の数は１であり、したがって、第１の繰返しレベルの後のランダムアクセス要求が失敗し続ける場合、リソースの比較的素早い割振りを提供する。
【００８９】
[0100]  ４２０において、成功ランダムアクセス要求（successful random access request）が第２の繰返しレベルで送られ得るが、いくつかのケースではより高い繰返しレベルが使われてよいことが容易に理解されよう。４２０における成功ランダムアクセス要求に応答して、ＵＥ１１５−ｂは、４２５において、基地局１０５−ｃから、ランダムアクセス応答（たとえば、ＰＤＳＣＨメッセージなど）を受信し得る。４３０において、ＵＥ１１５−ｂは次いで、ＰＵＳＣＨ上におけるレイヤ３メッセージなど、初期アップリンク送信で応答し得る。初期アップリンク電力（たとえば、４３０における初期アップリンク送信の電力）は、いくつかの例では、繰返しレベルに少なくとも部分的に基づいて決定され得る。
【００９０】
[0101]  図５は、本開示の態様による、繰返しレベルカバレージ拡張技法を示すコールフロー図５００の例を示す。コールフロー図５００は、図１または図２を参照して説明されたワイヤレス通信システム１００またはワイヤレス通信サブシステム２００において利用されるアップリンク電力制御カバレージ拡張技法を示し得る。コールフロー図５００は、ＵＥ１１５−ｃと基地局１０５−ｃとを含み、これらは、図１または図２を参照して説明されたＵＥ１１５および基地局１０５の例であり得る。いくつかの例では、ＵＥ１１５−ｃはＭＴＣデバイスであり得る。コールフロー図５００は、競合ベースのランダムアクセス要求手順の例であり得る。たとえば、コールフロー図５００は、ＵＥ１１５−ｃがＲＲＣアイドルモードからＲＲＣ接続モードに移行している状況を示し得る。
【００９１】
[0102]  ５０５において、ＵＥ１１５−ｃは、ランダムアクセス構成（random access configuration）を受信し得る。たとえば、ランダムアクセス構成は、基地局１０５−ｃからのＰＤＣＣＨまたはＰＤＳＣＨ送信により受信される構成メッセージを含み得る。５０５において受信されたランダムアクセス構成は、たとえば、１つまたは複数のランダムアクセス要求送信のための送信電力を決定する際に使用するための１つまたは複数の送信電力パラメータを指示し得る。
【００９２】
[0103]  ５１０において、ＵＥ１１５−ｃは、１つまたは複数のランダムアクセス繰返しレベルと、１つまたは複数の繰返しレベルでのランダムアクセス要求のための１つまたは複数の送信電力とを識別し得る。たとえば、ＵＥ１１５−ｃは、第１の繰返しレベルと、第１の繰返しレベルでの送信のための第１の送信電力とを識別することができ、第２の繰返しレベルと、第２の繰返しレベルでの送信のための第２の送信電力とを識別することができる。いくつかの例において、第２の、またはより高い送信電力は、第１の繰返しレベル、第１の送信電力、および１つまたは複数の送信電力ステップサイズに少なくとも部分的に基づき得る。
【００９３】
[0104]  たとえば、送信電力ステップサイズは、第１の送信電力レベルに相対する、第２の送信電力についての第１の送信電力ステップサイズと、第２の送信電力レベルに相対する、第３の送信電力についての第２の送信電力ステップサイズとを含み得る（たとえば、第１の繰返しレベルに関連付けられた電力ランプアップステップサイズ（power ramp-up step size）は２ｄＢであり、第２の繰返しレベルに関連付けられた電力ランプアップステップサイズは３ｄＢである、など）。他の例では、ＵＥ１１５−ｃが次に高い繰返しレベルに移ると、次に高い繰返しレベルのための送信電力は、最大送信電力（たとえば、ＵＥ１１５−ｃのための最大送信電力、ランダムアクセス要求に関連付けられた最大送信電力など）に等しくなるように設定されてよい。いくつかの例において、１つまたは複数の送信電力ステップサイズはそれぞれ、各それぞれの繰返しレベル内での連続ランダムアクセス要求向けに使われ得る。つまり、第１の送信電力ステップサイズが、第１の繰返しレベルの連続ランダムアクセス要求のために使われてよく、第２の送信電力ステップサイズが、第２の繰返しレベルの連続ランダムアクセス要求のために使われてよい。
【００９４】
[0105]  ５１５−ａにおいて、ＵＥ１１５−ｃは、第１の繰返しレベルのための第１の送信電力で、初期ランダムアクセス要求（たとえば、ＰＲＡＣＨプリアンブルなど）を送信し得る。前に説明したように、第１の送信電力および第１の繰返しレベルは、いくつかの例ではチャネル状態またはＲＳＲＰに基づき得る。上述したように、いくつかの例において、第１の繰返しレベルが、カバレージ拡張のために送信のバンドリングを提供する場合、初期ランダムアクセス要求は、５１５−ａにおける複数の冗長ランダムアクセスプリアンブル送信を含み得る。図５の例において、ＵＥ１１５−ｃが初期ランダムアクセス要求への応答を受信しない場合、ＵＥ１１５−ｃは、５１５−ｎにおける第１の繰返しレベルでの第Ｎのランダムアクセス要求まで、後続ランダムアクセス要求を試み、ランダムアクセス応答が受信されるかどうか決定してよい。いくつかの試み（図５の例ではＮ回の試み）の後、ＵＥ１１５−ｃは、より高い繰返しレベルに切り替えてよい。上述したように、より高い繰返しレベルは、各ランダムアクセス要求内での増加した数の冗長送信、増加した送信電力、またはそれらの組合せを含み得る。たとえば、ＵＥ１１５−ｃは、５１５−ｚにおいて、第ｍの繰返しレベルに従って、成功ランダムアクセス要求を送信し得る。
【００９５】
[0106]  図５の参照を続けると、成功ランダムアクセス要求は、５１５−ｚにおいて、第２の、またはより高い繰返しレベルで送られ得る。成功ランダムアクセス要求に応答して、ＵＥ１１５−ｃは、５２０において、基地局１０５−ｃから、ランダムアクセス応答（たとえば、ＰＤＳＣＨメッセージなど）を受信し得る。ＵＥ１１５−ｃは次いで、ＰＵＳＣＨ上におけるレイヤ３メッセージなど、５２５における初期アップリンク送信で応答し得る。初期アップリンク電力（たとえば、４２５における初期アップリンク送信の電力）は、いくつかの例では、５１５−ｚの成功ランダムアクセス要求の繰返しレベルに少なくとも部分的に基づいて決定され得る。
【００９６】
[0107]  図６は、本開示の態様による、繰返しレベルカバレージ拡張技法を示すコールフロー図６００の例を示す。コールフロー図６００は、図１または図２を参照して説明されたワイヤレス通信システム１００またはワイヤレス通信サブシステム２００において利用されるアップリンク電力制御カバレージ拡張技法を示し得る。コールフロー図６００は、ＵＥ１１５−ｃと基地局１０５−ｃとを含み、これらは、図１または図２を参照して説明されたＵＥ１１５および基地局１０５の例であり得る。いくつかの例では、ＵＥ１１５−ｃはＭＴＣデバイスであり得る。コールフロー図６００は、競合ベースのランダムアクセス要求手順の例であり得る。たとえば、コールフロー図６００は、ＵＥ１１５−ｃがＲＲＣアイドルモードからＲＲＣ接続モードに移行している状況を示し得る。
【００９７】
[0108]  ６０５において、この例におけるＵＥ１１５−ｄは、第１の繰返しレベルと、ランダムアクセス要求のための第１の送信電力と、連続ランダムアクセス要求送信についての送信電力増加ステップサイズとを識別し得る。いくつかの例において、ＵＥ１１５−ｄは、第１の繰返しレベルで送信されるべきランダムアクセス要求の最大数を識別することができ、最大数は、第１の送信電力または送信電力増加ステップサイズ、および最大送信電力（たとえば、ＵＥ１１５−ｃのための最大送信電力、ランダムアクセス要求に関連付けられた最大送信電力など）に少なくとも部分的に基づき得る。前に説明したように、第１の送信電力および繰返しレベルは、いくつかの例では、チャネル状態またはＲＳＲＰに基づき得る。ＵＥ１１５−ｄは次いで、識別された情報に基づいてランダムアクセス要求シーケンスを実行することができる。
【００９８】
[0109]  ６１０−ａにおいて、ＵＥ１１５−ｄは、第１の繰返しレベルに従って、初期ランダムアクセス要求（たとえば、１つまたは複数のＰＲＡＣＨプリアンブルの送信など）を第１の送信電力で送信し得る。上述したように、たとえば、第１の繰返しレベルがカバレージ拡張目的のために送信のバンドリングを提供する場合、初期ランダムアクセス要求の複数の冗長送信は、６１０−ａにおいて送信され得る。ＵＥ１１５−ｄが初期ランダムアクセス要求へのランダムアクセス応答を受信しない場合、ＵＥ１１５−ｄは、後続ランダムアクセス要求を再度試み、６１０−ｎにおいて、第１の繰返しレベルに従って、第ＮのＰＲＡＣＨプリアンブル送信まで、ランダムアクセス応答が受信されるかどうか決定し得る。
【００９９】
[0110]  いくつかの試み（図６の例ではＮ回の試み）の後、ＵＥ１１５−ｄは、より高い繰返しレベルに切り替えてよい。前に説明したように、より高い繰返しレベルは、第１の繰返しレベルに後続するランダムアクセス要求について、各ランダムアクセス要求の増加した数の冗長送信、増加した送信電力、または両方の組合せを含み得る。６１０−ｚにおいて、ＵＥ１１５−ｄは、より高い繰返しレベルに従って、成功ランダムアクセス要求を送信し得る。
【０１００】
[0111]  たとえば、ＵＥ１１５−ｄは、ランダムアクセス要求シーケンスを繰返しレベル１で始めてよく、このシーケンスは、３つのランダムアクセス要求を含むように構成され得る。繰返しレベル１の間にランダムアクセス応答が受信されず、繰返しレベル１による最終ランダムアクセス要求送信の最終送信電力が２０ｄＢｍである場合、ＵＥは、同じ送信電力（２０ｄＢｍ）を使って、ランダムアクセス要求の５つの冗長送信を有するランダムアクセス要求シーケンスなど、より高い繰返しレベルによるランダムアクセス要求を試みればよい。ランダムアクセス応答が依然として受信されない場合、３ｄＢの電力ランプアップステップサイズを仮定して、ＵＥは、前のランダムアクセス要求と同じ繰返しレベルによる別のランダムアクセス要求を、２３ｄＢｍという、より高い送信電力で送信してよい。２３ｄＢｍが最大送信電力であり、ランダムアクセス応答が依然として受信されない場合、後続ランダムアクセス要求が、より高い繰返しレベルに従って送信されてよい。
【０１０１】
[0112]  いくつかの例において、送信電力増加ステップサイズは、各連続ランダムアクセス要求送信のための事前構成されたステップサイズであり得る。構成は、たとえば、基地局１０５−ｄからの構成メッセージ中で受信され得る。いくつかの例において、特定の繰返しレベルについてのランダムアクセス要求の最大数は、半静的に構成されたパラメータに基づき得る。
【０１０２】
[0113]  ６１０−ｚにおける成功ランダムアクセス要求は、第２の、またはより高い繰返しレベルで送られ得る。成功ランダムアクセス要求に応答して、ＵＥ１１５−ｄは、６１５において、基地局１０５−ｄからランダムアクセス応答（たとえば、ＰＤＳＣＨメッセージなど）を受信し得る。ＵＥ１１５−ｄは次いで、ＰＵＳＣＨ上におけるレイヤ３メッセージを含み得る、６２０における初期アップリンク送信で応答し得る。初期アップリンク電力（たとえば、初期アップリンク送信の電力）は、いくつかの例では、６１０−ｚの成功ランダムアクセス要求に関連付けられた繰返しレベルに少なくとも部分的に基づいて決定され得る。
【０１０３】
[0114]  図７は、本開示の態様による、繰返しレベルカバレージ拡張のために構成されたワイヤレス通信デバイス７１０のブロック図７００を示す。ワイヤレス通信デバイス７１０は、図１〜図６を参照して説明されたＵＥ１１５の態様の例であり得る。ワイヤレス通信デバイス７１０は、受信機７２０と、ワイヤレス通信マネージャ（wireless communications manager）７３０と、送信機７４０とを含み得る。ワイヤレス通信デバイス７１０は、プロセッサも含み得る。これらの構成要素の各々は、互いと通信していることがある。
【０１０４】
[0115]  受信機７２０は、パケット、ユーザデータ、または様々な情報チャネルに関連付けられた制御情報（たとえば、制御チャネル、データチャネル、およびＭＴＣデバイスのための繰返しレベルカバレージ拡張、時間ドメインバンドリングに関する情報など）などの情報を受信し得る。いくつかの例において、受信機７２０は、ランダムアクセス繰返しレベルについての構成を（たとえば、ＤＬ制御チャネル中で、など）受信してよく、この構成は、本明細書において説明される様々な送信電力パラメータを含み得る。受信機７２０は、ワイヤレス通信デバイス７１０からのランダムアクセス要求に応答して、基地局からランダムアクセス応答を受信するようにも構成され得る。情報は、ワイヤレス通信マネージャ７３０に、およびワイヤレス通信デバイス７１０の他の構成要素に渡され得る。
【０１０５】
[0116]  ワイヤレス通信マネージャ７３０は、ワイヤレス通信デバイス７１０の様々な態様を管理することができる。たとえば、ワイヤレス通信マネージャ７３０は、本明細書において説明される繰返しレベルカバレージ拡張技法の様々な態様を管理するように構成された繰返しレベルカバレージ拡張マネージャ（repetition level coverage enhancement manager）７３５を含み得る。たとえば、繰返しレベルカバレージ拡張マネージャ７３５は、繰返しレベルを識別し、ランダムアクセス要求の送信に関連付けられた１つまたは複数の送信電力パラメータを決定することができる。いくつかの例において、繰返しレベルカバレージ拡張マネージャ７３５は、前の繰返しレベルでの、前のランダムアクセスシーケンスのアップリンク送信電力に基づいて送信電力パラメータを決定することができる。追加または代替として、いくつかの例において、繰返しレベルカバレージ拡張マネージャ７３５は、受信機７２０によって受信された構成を解釈し、ランダムアクセス要求シーケンスのための繰返しレベルを識別し、解釈された構成に基づいて、ランダムアクセス要求シーケンスのランダムアクセス要求のためのアップリンク送信電力を決定することができる。いくつかの例において、ワイヤレス通信マネージャ７３０は、図１〜図５を参照して上述されたＭＴＣ通信に関連した動作を実行することができる。
【０１０６】
[0117]  送信機７４０は、ワイヤレス通信デバイス７１０の他の構成要素から受信された信号を送信し得る。たとえば、送信機７４０は、本明細書において説明される繰返しレベルカバレージ拡張技法を含み得る、ワイヤレス通信デバイス７１０にサービスする基地局１０５によって受信されるべきランダムアクセス要求を送信するように構成され得る。いくつかの例では、送信機７４０は、トランシーバモジュール中で受信機とコロケート（collocate）され得る。たとえば、送信機７４０は、図１０を参照して説明されるＵＥトランシーバ１０３５および／またはアンテナ１０４０の態様の例であってよい。
【０１０７】
[0118]  図８は、本開示の態様による、繰返しレベルカバレージ拡張技法のために構成された繰返しレベルカバレージ拡張マネージャ７３５−ａのブロック図８００を示す。繰返しレベルカバレージ拡張マネージャ７３５−ａは、図７を参照して説明された繰返しレベルカバレージ拡張マネージャ７３５の態様の例であってよい。繰返しレベルカバレージ拡張マネージャ７３５−ａは、構成インタープリタ（configuration interpreter）８０５、チャネル状態決定器（channel condition determiner）８１０、繰返しレベル識別器（repetition level identifier）８１５、送信電力パラメータ決定器（transmission power parameter determiner）８２０、またはランダムアクセス手順マネージャ（random access procedure manager）８２５のうちの任意の１つまたは複数を含み得る。これらの構成要素の各々は、１つまたは複数のバス８３５を介して、互いと通信していることがある。
【０１０８】
[0119]  構成インタープリタ８０５は、ワイヤレス通信デバイスにおいて（たとえば、ＵＥ１１５のメモリ中に）記憶された構成、または受信機（たとえば、図７を参照して説明された受信機７２０）により受信された構成などのランダムアクセス要求構成の態様を解釈することができる。いくつかの例において、構成インタープリタ８０５は、受信機により、ランダムアクセス手順に関連付けられた１つまたは複数の送信電力パラメータを指示する構成メッセージを受信し得る。様々な例において、送信電力パラメータは、別のデバイスにおいて構成される（たとえば、基地局がその値を半静的に構成する）、繰返しレベルおよび／またはレベルごとの繰返し数に関連し得る。構成インタープリタ８０５は、そのような構成情報、たとえば、送信電力パラメータ決定器８２０または繰返しレベル識別器８１５を伝えてよい。
【０１０９】
[0120]  チャネル状態決定器８１０は、たとえばＲＳＲＰを通して、チャネル状態を決定するように構成されてよく、たとえば、図１〜図５を参照して上述したように、初期繰返しレベル、アップリンク送信電力、および／またはランダムアクセス要求送信のための送信電力ステップサイズを決定するために、チャネル状態についての情報を他のモジュールに提供することができる。
【０１１０】
[0121]  繰返しレベル識別器８１５は、図１〜図５を参照して上述したように、ランダムアクセス要求送信のための繰返しレベルを識別し得る。いくつかの例において、識別は複数の繰返しレベルから行われてよく、識別は、ランダムアクセス要求手順の初期、中間、または最終繰返しレベルであってよい。いくつかの例において、レベルごとの繰返しの数および／または可能繰返しレベルは、繰返しレベルカバレージ拡張マネージャにおける（たとえば、メモリに記憶された）事前構成された値を含んでよく、繰返しレベル識別器８１５は、事前構成された値からレベルおよび／または繰返し数を決定する。他の例では、繰返しレベルおよび／またはレベルごとの繰返し数は、繰返しレベル識別器８１５によって決定され得る、構成可能な値である。さらに他の実施形態では、繰返しレベルおよび／またはレベルごとの繰返し数は構成可能な値であり、それらは別のデバイスで構成され（たとえば、基地局がその値を半静的に構成する）、繰返しレベル識別器８１５へ伝えられ得る。たとえば、受信機モジュール７２０は、繰返しレベルおよび／または所与の繰返しレベルに対する繰返し数を示すシグナリングを受信し得、受信機７２０は、そのような情報を繰返しレベル識別器８１５へ伝え得る。追加または代替として、いくつかの例において、繰返しレベル識別器８１５は、チャネル状態決定器８１０によって決定されたチャネル状態に少なくとも部分的に基づいて繰返しレベルを識別し得る。
【０１１１】
[0122]  送信電力パラメータ決定器８２０は、ランダムアクセス要求シーケンスの１つまたは複数のランダムアクセス要求についての送信電力パラメータを決定するように構成され得る。いくつかの例において、送信電力パラメータ決定器８２０は送信電力を決定することができ、送信電力は、図１〜図５を参照して上述したように、繰返しレベルに全体的または部分的に基づき得る。たとえば、送信電力パラメータ決定器８２０は、１つの繰返しレベル（たとえばＰＲＡＣＨ繰返しレベル）に基づいて初期アップリンク電力を決定するように構成され得、また、異なる繰返しレベル（たとえば後続ＰＲＡＣＨ繰返しレベル）に基づいて後続のアップリンク電力を決定するように構成され得る。いくつかの例において、送信電力パラメータ決定器は、繰返しレベルに従って、ランダムアクセス要求のための送信電力ステップサイズを決定し得る。追加または代替として、送信電力パラメータ決定器８２０は最大送信電力を決定することができ、これは、様々な例において、デバイスの最大送信電力、またはランダムアクセス要求送信に関連付けられた最大送信電力の一方または両方であってよい。追加または代替として、いくつかの例において、送信電力パラメータ決定器８２０は、チャネル状態決定器８１０によって決定されたチャネル状態に少なくとも部分的に基づいて送信電力を決定し得る。
【０１１２】
[0123]  繰返しレベルカバレージ拡張マネージャ７３５−ａに含まれる場合、ランダムアクセス手順マネージャ８２５は、本明細書において説明されるランダムアクセス手順の態様を管理することができる。たとえば、ランダムアクセス手順マネージャ８２５は、ランダムアクセス要求手順の一部として、送信されるべきランダムアクセス要求送信（たとえば、ＰＲＡＣＨプリアンブルなど）を識別することができる。いくつかの例において、ランダムアクセス手順マネージャは、図３を参照して説明されたパラメータのような、ランダムアクセス要求手順における繰返しレベルの数、ランダムアクセス要求シーケンス中のランダムアクセス要求の数、ランダムアクセス要求の冗長送信の数、および／または各ランダムアクセス要求送信のための送信電力などのパラメータを管理することができる。いくつかのランダムアクセス要求のために、ランダムアクセス手順マネージャ８２５は、送信電力を最大送信電力に設定してよく、最大送信電力は、様々な例では、デバイスの最大送信電力、またはランダムアクセス要求送信に関連付けられた最大送信電力であってよい。いくつかの例において、ランダムアクセス手順マネージャ８２５は、図１〜図５を参照して上述したように、受信機（たとえば、図７を参照して説明された受信機７２０など）によりランダムアクセス応答が受信されたかどうか決定し得る。いくつかの例において、ランダムアクセス手順マネージャ８２５は、ＰＲＡＣＨ送信のための繰返しレベルリソースを決定するなど、図１〜図５を参照して上述したように、ランダムアクセス要求のためのリソースセットを決定するように構成され得る。
【０１１３】
[0124]  図７を参照して説明されたワイヤレス通信デバイス７１０の構成要素、および／または図７もしくは図８を参照して説明された繰返しレベルカバレージ拡張マネージャ７３５は、適用可能な機能の一部またはすべてをハードウェアで実行するように適応された少なくとも１つのＡＳＩＣを用いて、個々にまたは集合的に実装され得る。代替的に、それらの機能は、少なくとも１つのＩＣ上で、１つまたは複数の他の処理ユニット（またはコア）によって実行され得る。他の実施形態では、当技術分野で知られている任意の方式でプログラムされ得る他のタイプの集積回路（たとえば、構造化／プラットフォームＡＳＩＣ、フィールドプログラマブルゲートアレイ（ＦＰＧＡ）、または別のセミカスタムＩＣ）が使用される場合がある。各ユニットの機能はまた、全体的または部分的に、１つまたは複数の汎用プロセッサまたは特定用途向けプロセッサによって実行されるようにフォーマットされた、メモリ中に組み込まれた命令を用いて実装され得る。
【０１１４】
[0125]  図９は、本開示の態様による、繰返しレベルカバレージ拡張のために構成されたＵＥ１１５を含むシステム９００を示す。ＵＥ１１５−ｅは、図１〜図７を参照して上記で説明されたＵＥ１１５、またはワイヤレス通信デバイス７１０の例であり得る。ＵＥ１１５−ｅは、図６〜図８を参照して説明したワイヤレス通信マネージャ７３０の例であり得るワイヤレス通信マネージャ７３０−ａを含み得る。いくつかの例において、ワイヤレス通信マネージャ７３０−ａは、図１〜図５を参照して上述されたＭＴＣ通信に関連した動作を実行するように構成され得る。ＵＥ１１５−ｅは、通信を送信するための構成要素と通信を受信するための構成要素とを含む、双方向音声およびデータ通信のための構成要素も含み得る。たとえば、ＵＥ１１５−ｅは、ＵＥ１１５−ｆまたは基地局１０５−ｅと双方向に通信し得る。
【０１１５】
[0126]  ＵＥ１１５−ｅは、プロセッサ９０５と、（ソフトウェア／ファームウェアコード９２０を含む）メモリ９１５と、トランシーバ９３５と、１つまたは複数のアンテナ９４０とを含み得、それらの各々は、（たとえば、バス９４５を介して）互いと直接または間接的に通信し得る。トランシーバ９３５は、上記で説明されたように、アンテナ９４０またはワイヤードリンクもしくはワイヤレスリンクを介して、１つまたは複数のネットワークと双方向に通信し得る。たとえば、トランシーバ９３５は、基地局１０５または別のＵＥ１１５と双方向に通信し得る。トランシーバ９３５は、パケットを変調し、変調されたパケットを送信のためにアンテナ９４０に与え、アンテナ９４０から受信されたパケットを復調するためのモデムを含み得る。ＵＥ１１５−ｅは単一のアンテナ９４０を含み得るが、ＵＥ１１５−ｃは、複数のワイヤレス送信を同時に送信または受信することが可能な複数のアンテナ９４０を有してもよい。
【０１１６】
[0127]  メモリ９１５は、ランダムアクセスメモリ（ＲＡＭ）と読取り専用メモリ（ＲＯＭ）とを含む場合がある。メモリ９１５は、実行されると、本明細書で説明する様々な機能（たとえば、繰返しレベルカバレージ拡張技法など）をプロセッサ９０５に実行させる命令を含む、コンピュータ可読コンピュータ実行可能ソフトウェア／ファームウェアコード（software/firmware code）９２０を記憶し得る。代替的に、ソフトウェア／ファームウェアコード９２０は、プロセッサ９０５によって直接的に実行可能でないことがあるが、（たとえば、コンパイルされ実行されたとき）コンピュータに本明細書で説明される機能を実行させ得る。プロセッサ９０５は、インテリジェントハードウェアデバイス（たとえば、中央処理ユニット（ＣＰＵ）、マイクロコントローラ、ＡＳＩＣなど）を含み得る。
【０１１７】
[0128]  ワイヤレス通信マネージャ７３０−ａは、図１〜図８を参照して上述したように、ＵＥ１１５−ｅのカバレージ拡張設定に少なくとも部分的に基づいてランダムアクセス手順を実行するように構成され得る。たとえば、ワイヤレス通信マネージャ７３０−ａは、図７または図８を参照して説明された繰返しレベルカバレージ拡張マネージャ７３５などの繰返しレベルカバレージ拡張マネージャを含み得る。ワイヤレス通信マネージャ７３０−ａは、ＵＥ１１５−ｅの他の構成要素と、１つまたは複数のバス９４５を介して直接または間接的に通信している場合がある。ワイヤレス通信マネージャ７３０−ａ、もしくはその部分はプロセッサを含んでよく、またはワイヤレス通信マネージャ７３０−ａの機能の一部もしくは全部は、プロセッサ９０５によって、もしくはプロセッサ９０５と関連して実行され得る。
【０１１８】
[0129]  図１０は、本開示の態様による、繰返しレベルカバレージ拡張技法を利用するワイヤレス通信のための方法１０００を示すフローチャートを示す。方法１０００の動作は、図１〜図９を参照して説明されたように、ワイヤレス通信デバイス（たとえば、ＵＥ１１５もしくはワイヤレス通信デバイス７１０）またはその構成要素によって実装され得る。たとえば、方法１０００の動作は、図７〜図９を参照して説明された繰返しレベルカバレージ拡張マネージャ７３５を有するワイヤレス通信マネージャ７３０によって実行され得る。いくつかの例では、ワイヤレス通信デバイスは、以下で説明する機能を実行するようにワイヤレス通信デバイスの機能要素を制御するためのコードのセットを実行し得る。追加または代替として、ワイヤレス通信デバイスは、専用ハードウェアを使用して、以下で説明される機能態様を実行し得る。
【０１１９】
[0130]  ブロック１００５において、方法は、図１〜図６を参照して上述したように、ランダムアクセス要求手順の第１のランダムアクセス要求シーケンスのための複数の繰返しレベルから、第１の繰返しレベルを識別することを含み得る。いくつかの例では、ブロック１００５の動作は、図８を参照して説明したように繰返しレベル識別器８１５によって実行され得る。
【０１２０】
[0131]  ブロック１０１０において、方法は、図１〜図６を参照して上述したように、第１の繰返しレベルに少なくとも部分的に基づいて、第１のランダムアクセス要求シーケンスの１つまたは複数のランダムアクセス要求のための１つまたは複数の送信電力パラメータを決定することできる。いくつかの例では、ブロック１０１０の動作は、図８を参照してデクライブしたように送信電力パラメータ決定器８２０によって実行され得る。
【０１２１】
[0132]  ブロック１０１５において、方法は、図１〜図６を参照して上述したように、１つまたは複数の送信電力パラメータに従って、第１のランダムアクセス要求シーケンスの１つまたは複数のランダムアクセス要求を送信することを含み得る。いくつかの例において、ブロック１０１５の動作は、図７を参照して説明された送信機７４０などの送信機、または図９を参照して説明されたトランシーバ９３５およびアンテナ９４０と協働して、図８を参照して説明されたランダムアクセス手順マネージャ８２５によって実行され得る。
【０１２２】
[0133]  図１１は、本開示の態様による、繰返しレベルカバレージ拡張技法を利用するワイヤレス通信のための方法１１００を示すフローチャートを示す。方法１０００の動作は、図１〜図９を参照して説明されたように、ワイヤレス通信デバイス（たとえば、ＵＥ１１５もしくはワイヤレス通信デバイス７１０）またはその構成要素によって実装され得る。たとえば、方法１１００の動作は、図７〜図９を参照して説明された繰返しレベルカバレージ拡張マネージャ７３５を有するワイヤレス通信マネージャ７３０によって実行され得る。いくつかの例では、ワイヤレス通信デバイスは、以下で説明する機能を実行するようにワイヤレス通信デバイスの機能要素を制御するためのコードのセットを実行し得る。追加または代替として、ワイヤレス通信デバイスは、専用ハードウェアを使用して、以下で説明される機能態様を実行し得る。
【０１２３】
[0134]  ブロック１１０５において、方法は、図１〜図６を参照して説明したように、ランダムアクセス要求シーケンスのための繰返しレベルを識別することを含み得る。いくつかの例では、ブロック１１０５の動作は、図８を参照して説明したように繰返しレベル識別器８１５によって実行され得る。
【０１２４】
[0135]  ブロック１１１０において、方法は、図１〜図６を参照して説明したように、前の繰返しレベルでの前のランダムアクセス要求シーケンスのアップリンク送信電力に少なくとも部分的に基づいて、ランダムアクセス要求シーケンスのための１つまたは複数の送信電力パラメータを決定することを含み得る。いくつかの例では、ブロック１１１０の動作は、図８を参照して説明したように送信電力パラメータ決定器８２０によって実行され得る。
【０１２５】
[0136]  図１２は、本開示の態様による、繰返しレベルカバレージ拡張技法を利用するワイヤレス通信のための方法１２００を示すフローチャートを示す。方法１２００の動作は、図１〜図９を参照して説明されたように、ワイヤレス通信デバイス（たとえば、ＵＥ１１５もしくはワイヤレス通信デバイス７１０）またはその構成要素によって実装され得る。たとえば、方法１２００の動作は、図７〜図９を参照して説明された繰返しレベルカバレージ拡張マネージャ７３５を有するワイヤレス通信マネージャ７３０によって実行され得る。いくつかの例では、ワイヤレス通信デバイスは、以下で説明する機能を実行するようにワイヤレス通信デバイスの機能要素を制御するためのコードのセットを実行し得る。追加または代替として、ワイヤレス通信デバイスは、専用ハードウェアを使用して、以下で説明される機能態様を実行し得る。
【０１２６】
[0137]  ブロック１２０５において、方法は、図１〜図６を参照して説明されたように、ランダムアクセス手順に関連付けられた１つまたは複数の送信電力パラメータを指示する構成メッセージを受信することを含み得る。いくつかの例では、ブロック１２０５の動作は、図８を参照して説明したよう構成インタープリタ８０５によって実行され得る。
【０１２７】
[0138]  ブロック１２１０において、方法は、図１〜図６を参照して説明されたように、ランダムアクセス要求手順の第１のランダムアクセス要求シーケンスのための第１の繰返しレベルを識別することを含み得る。いくつかの例では、ブロック１２１０の動作は、図８を参照して説明したように繰返しレベル識別器８１５によって実行され得る。
【０１２８】
[0139]  ブロック１２１５において、方法は、図１〜図６を参照して説明されたように、識別された第１の繰返しレベルおよび１つまたは複数の送信電力パラメータに少なくとも部分的に基づいて、第１のランダムアクセス要求シーケンスの初期ランダムアクセス要求のための第１のアップリンク送信電力を決定することを含み得る。いくつかの例では、ブロック１２１５の動作は、図８を参照して説明したように送信電力パラメータ決定器８２０によって実行され得る。
【０１２９】
[0140]  このように、方法１０００、１１００、および１２００は、ワイヤレスシステムにおける繰返しレベルカバレージ拡張を提供することができる。方法１０００、１１００、および１２００は可能な実装形態を記載し、動作およびステップは、他の実装形態が可能であるように、並べ替えられるかまたは場合によっては修正される場合があることに留意されたい。いくつかの例では、方法１０００、１１００、または１２００のうちの２つ以上からの態様が組み合わされ得る。
【０１３０】
[0141]  本明細書で説明した技法は、ＣＤＭＡ、ＴＤＭＡ、ＦＤＭＡ、ＯＦＤＭＡ、ＳＣ−ＦＤＭＡ、および他のシステムなど、様々なワイヤレス通信システムのために使用され得る。「システム」および「ネットワーク」という用語は、しばしば、互換的に使用される。ＣＤＭＡシステムは、ＣＤＭＡ２０００、ユニバーサル地上波無線アクセス（ＵＴＲＡ）などの無線技術を実装することができる。ＣＤＭＡ２０００は、ＩＳ−２０００、ＩＳ−９５、およびＩＳ−８５６規格をカバーする。ＩＳ−２０００リリース０およびＡは一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標））などの無線技術を実装することができる。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（ＷｉＦｉ（登録商標））、ＩＥＥＥ８０２．１６（ＷｉＭＡＸ（登録商標））、ＩＥＥＥ８０２．２０、Ｆｌａｓｈ−ＯＦＤＭ（商標）などの無線技術を実装し得る。ＵＴＲＡおよびＥ−ＵＴＲＡは、ユニバーサルモバイル電気通信システム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明する技法は、無認可および／または共有帯域幅を介したセルラー（たとえば、ＬＴＥ）通信を含む、上述のシステムおよび無線技術、ならびに他のシステムおよび無線技術のために使用され得る。ただし、上記の説明は、例としてＬＴＥ／ＬＴＥ−Ａシステムを説明し、上記の説明の大部分においてＬＴＥ用語が使用されるが、本技法はＬＴＥ／ＬＴＥ−Ａ適用例以外に適用可能である。
【０１３１】
[0142]  添付の図面に関して上記に記載した発明を実施するための形態は、例を説明しており、実装され得るまたは特許請求の範囲内に入る唯一の例を表すものではない。「例」および「例示的」という用語は、この説明で使用されるとき、「例、事例、または例示として働く」ことを意味し、「好ましい」または「他の例よりも有利である」ことを意味しない。発明を実施するための形態は、説明する技法の理解を与えるための具体的な詳細を含む。ただし、これらの技法は、これらの具体的な詳細なしに実践され得る。いくつかの事例では、説明した例の概念を不明瞭にすることを避けるために、よく知られている構造および装置がブロック図の形で示されている。
【０１３２】
[0143]  本明細書で使用する「に基づいて」という句は、条件の閉集合への言及と解釈してはならない。たとえば、「条件Ａに基づいて」と記載される例示的なステップは、本開示の範囲から逸脱することなく、条件Ａと条件Ｂの両方に基づいてよい。言い換えると、本明細書で使用する、「に基づいて」という句は、「に少なくとも部分的に基づいて」という句と同じように企図されるものである。
【０１３３】
[0144]  情報および信号は、様々な技術および技法のいずれかを使用して表され得る。たとえば、上の説明全体を通じて参照され得るデータ、命令、コマンド、情報、信号、ビット、シンボル、およびチップは、電圧、電流、電磁波、磁場もしくは磁気粒子、光場もしくは光粒子、またはそれらの任意の組合せによって表され得る。
【０１３４】
[0145]  本明細書の開示に関して説明された様々な例示的なブロックおよび構成要素は、汎用プロセッサ、デジタル信号プロセッサ（ＤＳＰ）、ＡＳＩＣ、ＦＰＧＡもしくは他のプログラマブル論理デバイス、個別ゲートもしくはトランジスタ論理、個別ハードウェア構成要素、または本明細書で説明された機能を実行するように設計されたそれらの任意の組合せを用いて実装または実行され得る。汎用プロセッサはマイクロプロセッサであり得るが、代替として、プロセッサは、任意の従来型プロセッサ、コントローラ、マイクロコントローラ、またはステートマシンであり得る。プロセッサは、コンピューティングデバイスの組合せ、たとえば、ＤＳＰとマイクロプロセッサの組合せ、複数のマイクロプロセッサ、ＤＳＰコアと連携する１つもしくは複数のマイクロプロセッサ、または任意の他のそのような構成としても実装される場合がある。
【０１３５】
[0146]  本明細書で説明した機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信され得る。他の例および実装形態が、本開示および添付の特許請求の範囲および趣旨内に入る。たとえば、ソフトウェアの性質により、上述した機能は、プロセッサによって実行されるソフトウェア、ハードウェア、ファームウェア、ハードワイヤリング、またはこれらのうちのいずれかの組合せを使用して実装され得る。機能を実装する特徴はまた、異なる物理的位置において機能の部分が実装されるように分散されることを含めて、様々な位置に物理的に配置され得る。特許請求の範囲を含めて、本明細書で使用される場合、「および／または」という用語は、２つ以上の項目の列挙中で使用されるとき、列挙された項目のうちのいずれか１つが単独で用いられ得ること、または列挙された項目のうちの２つ以上の任意の組合せが用いられ得ることを意味する。たとえば、組成が構成要素Ａ、Ｂ、および／またはＣを含んでいるものとして説明される場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１３６】
[0147]  コンピュータ可読媒体は、ある場所から別の場所へのコンピュータプログラムの転送を容易にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、いかなる接続もコンピュータ可読媒体と適切に呼ばれる。たとえば、同軸ケーブル、光ファイバケーブル、ツイストペア、デジタル加入者線（ＤＳＬ）、または赤外線、無線、およびマイクロ波などのワイヤレス技術を使用して、ソフトウェアがウェブサイト、サーバまたは他のリモートソースから送信される場合、同軸ケーブル、光ファイバケーブル、ツイストペア、ＤＳＬ、または赤外線、無線、およびマイクロ波などワイヤレス技術は、媒体の定義に含まれる。本明細書で使用するディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せも、コンピュータ可読媒体の範囲内に含まれる。
【０１３７】
[0148]  本開示の前述の説明は、当業者が本開示を作成または使用することを可能にするために提供される。本開示の様々な変更は当業者には容易に明らかとなり、本明細書で定義される一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
【図１】
2018511236.tif 000003
【図２】
2018511236.tif 000004
【図３】
2018511236.tif 000005
【図４】
2018511236.tif 000006
【図５】
2018511236.tif 000007
【図６】
2018511236.tif 000008
【図７】
2018511236.tif 000009
【図８】
2018511236.tif 000010
【図９】
2018511236.tif 000011
【図１０】
2018511236.tif 000012
【図１１】
2018511236.tif 000013
【図１２】
2018511236.tif 000014
【国際調査報告】
2018511236.tif 000015
2018511236.tif 000016
2018511236.tif 000017